(57)【特許請求の範囲】
【請求項１】
第一の基地局装置と第二の基地局装置が複数セルを介して通信を行う端末装置であって、
前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、
前記グループ毎に、送信タイミング情報を適用した場合にスタートまたはリスタートする送信タイミングタイマーを用いて制御され、
前記第一の基地局装置から前記グループに関する情報と前記送信タイミングタイマーの情報を受信し、
前記グループに関する情報に基づいて前記グループを管理し、
基地局装置単位で前記グループを制御する、
端末装置。
【請求項２】
請求項１記載の端末装置であって、
前記第一のグループの送信タイミングタイマーが満了した場合、前記第一のグループのセルおよび第一の基地局装置に属する前記第三のグループのセルに対応する送信ＨＡＲＱバッファのデータを消去し、
前記第二のグループの送信タイミングタイマーが満了した場合、前記第二のグループのセルおよび前記第二の基地局装置に属する前記第三のグループのセルに対応する送信ＨＡＲＱバッファのデータを消去し、
前記第三のグループの送信タイミングタイマーが満了した場合、送信タイミングタイマーが満了した前記第三のグループのセルに対応する送信ＨＡＲＱバッファのデータを消去する、
端末装置。
【請求項３】
請求項２記載の端末装置であって、
前記第一のグループの送信タイミングタイマーが満了した場合、前記第一のセルに割り当てられている上りリンク制御チャネルを解放し、
前記第二のグループの送信タイミングタイマーが満了した場合、前記第二のセルに割り当てられている上りリンク制御チャネルを解放する、
端末装置。
【請求項４】
請求項３記載の端末装置であって、
前記第一のグループの送信タイミングタイマーが停止している場合、前記第一のセルでのランダムアクセスプリアンブル送信以外の前記第一のグループのセルおよび前記第一の基地局装置に属する前記第三のグループのセルでの上りリンク送信を禁止し、
前記第二のグループの送信タイミングタイマーが満了した場合、前記第二のセルでのランダムアクセスプリアンブル送信以外の前記第二のグループのセルおよび前記第二の基地局装置に属する前記第三のグループのセルでの上りリンク送信を禁止する、
端末装置。
【請求項５】
第一の基地局装置とともに複数セルを介して端末装置と通信を行う基地局装置であって、
前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、自基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または自基地局装置に属する第三のセルから構成される第三のグループにグループ化され、
前記グループ毎に、送信タイミング情報を適用した場合にスタートまたはリスタートする送信タイミングタイマーを用いて制御され、
前記第一の基地局装置から前記第二のグループおよび前記第一の基地局装置の前記第三のグループに関する情報と前記送信タイミングタイマーの情報を受信し、
前記第一のグループおよび前記第二のグループおよび前記第三のグループに関する情報と前記送信タイミングタイマーの情報を前記端末装置に通知する、
基地局装置。
【請求項６】
第一の基地局装置と第二の基地局装置が複数セルを介して通信を行う端末装置の無線通信方法であって、
前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、  前記グループ毎に、送信タイミング情報を適用した場合にスタートまたはリスタートする送信タイミングタイマーを用いて制御され、
前記第一の基地局装置から前記グループに関する情報と前記送信タイミングタイマーの情報を受信し、
前記グループに関する情報に基づいて前記グループを管理し、
基地局装置単位で前記グループを制御する、
ステップを含む無線通信方法。
【請求項７】
第一の基地局装置とともに複数セルを介して端末装置と通信を行う基地局装置の無線通信方法であって、
前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、自基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または自基地局装置に属する第三のセルから構成される第三のグループにグループ化され、
前記グループ毎に、送信タイミング情報を適用した場合にスタートまたはリスタートする送信タイミングタイマーを用いて制御され、
前記第一の基地局装置から前記第二のグループおよび前記第一の基地局装置の前記第三のグループに関する情報と前記送信タイミングタイマーの情報を受信し、
前記第一のグループおよび前記第二のグループおよび前記第三のグループに関する情報と前記送信タイミングタイマーの情報を前記端末装置に通知する、
ステップを含む無線通信方法。
【請求項８】
第一の基地局装置とともに複数セルを介して端末装置と通信を行う第二の基地局装置に適用される集積回路であって、
前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、
前記グループ毎に、送信タイミング情報を適用した場合にスタートまたはリスタートする送信タイミングタイマーを用いて制御され、
前記第一の基地局装置から前記第二のグループおよび前記第一の基地局装置の前記第三のグループに関する情報と前記送信タイミングタイマーの情報を受信する手段と、
前記第一のグループおよび前記第二のグループおよび前記第三のグループに関する情報と前記送信タイミングタイマーの情報を前記端末装置に通知する手段と、
を有する集積回路。
【請求項９】
第一の基地局装置と第二の基地局装置が複数セルを介して通信を行う端末装置に適用される集積回路であって、
前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、
前記グループ毎に、送信タイミング情報を適用した場合にスタートまたはリスタートする送信タイミングタイマーを用いて制御され、
前記第一の基地局装置から前記グループに関する情報と前記送信タイミングタイマーの情報を受信する手段と、
前記グループに関する情報に基づいて前記グループを管理する手段と、
基地局装置単位で前記グループを制御する手段と、
を有する集積回路。
【請求項１０】
請求項９記載の集積回路であって、
前記第一のグループの送信タイミングタイマーが満了した場合、前記第一のグループのセルおよび前記第一の基地局装置に属する前記第三のグループのセルに対応する送信ＨＡＲＱバッファのデータを消去する手段と、
前記第二のグループの送信タイミングタイマーが満了した場合、前記第二のグループのセルおよび前記第二の基地局装置に属する前記第三のグループのセルに対応する送信ＨＡＲＱバッファのデータを消去する手段と、
前記第三のグループの送信タイミングタイマーが満了した場合、前記送信タイミングタイマーが満了した前記第三のグループのセルに対応する送信ＨＡＲＱバッファのデータを消去する手段と、
を有する集積回路。
【発明の詳細な説明】
【技術分野】
【０００１】
本発明は、基地局装置および端末装置に関連し、より詳細には、データの送受信制御に関する基地局装置、端末装置、無線通信方法および集積回路に関する。
本願は、２０１３年８月２０日に、日本に出願された特願２０１３−１７００６６号に基づき優先権を主張し、その内容をここに援用する。
【背景技術】
【０００２】
３ＧＰＰ（3rd Generation Partnership Project）では、Ｗ−ＣＤＭＡ方式が第三世代セルラー移動通信方式として標準化され、サービスが行われている。また、通信速度を更に上げたＨＳＤＰＡも標準化され、サービスが行われている。【０００３】
一方、３ＧＰＰでは、第三世代無線アクセスの進化（Evolved Universal Terrestrial Radio Access；以下、「EUTRA」と呼称する。）の標準化も行なわれ、サービスが開始されている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。【０００４】
また、３ＧＰＰでは、ＥＵＴＲＡの更なる進化のＡｄｖａｎｃｅｄ−ＥＵＴＲＡの議論も開始されている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。【０００５】
Ａｄｖａｎｃｅｄ−ＥＵＴＲＡでは、ＥＵＴＲＡの移動局装置も収容できるようにＥＵＴＲＡと互換性のある帯域を複数個束ねることで、最大１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : ＣＣ）と呼ばれている。コンポーネントキャリアは、セル（Cell）とも呼ばれている。また、２０ＭＨｚ以下の帯域を束ねることをキャリアアグリゲーション(Carrier Aggregation：ＣＡ)と呼ばれている（非特許文献１）。【０００６】
また、Ａｄｖａｎｃｅｄ−ＥＵＴＲＡでは、マクロセル(Macro Cell)とマクロセルの範囲内にあるスモールセル(Small Cell)、またはスモールセル同士でキャリアアグリゲーションと同様の技術を用いて同時に接続することを検討している。マクロセルの範囲内にあるとは、周波数が異なることも含む。非特許文献２では、基地局装置と移動局装置間の通信において、移動局装置がマクロセルとスモールセルと同時に接続する場合に、マクロセルで制御情報（制御平面情報：Control-plane information）を送信し、スモールセルでユーザー情報（ユーザー平面情報：User-plane information）を送信することが提案されている。非特許文献２で示されているマクロセルとスモールセルと移動局装置が同時に接続する技術のことをデュアルコネクト（Dual Connect（またはデュアルコネクティビティ（Dual Connectivity））とも言う。
【先行技術文献】
【非特許文献】
【０００７】
【非特許文献１】3GPP TS(Technical Specification)36.300、V11.5.0(2013-03)、Evolved Universal Terrestrial Radio Access(E-UTRA) and Evolved Universal Terrestrial Radio Access Network(E-UTRAN)、Overall description Stage2
【非特許文献２】3GPP TR(Technical Report)36.842、V0.2.0(2013-05)、Study on Small Cell Enhancements for E-UTRA and E-UTRAN - Higher layer aspects(release 12)
【発明の概要】
【発明が解決しようとする課題】
【０００８】
しかしながら、非特許文献２で示されたように基地局装置と移動局装置間の通信において、マクロセルの基地局装置と移動局装置間で制御情報を送受信し、スモールセルの基地局装置と移動局装置間でユーザー情報を送受信する場合、制御情報とユーザー情報を適切なセルで送信するように制御しなければならない。【０００９】
また、基地局装置間が遅延のある低速の回線で接続されているため、基地局装置間の回線の遅延を考慮して、マクロセルの基地局装置およびスモールセルの基地局装置のそれぞれが、移動局装置に対して下りリンクおよび上りリンクのデータのスケジューリング、下りリンクデータの送信およびデータ送信に関連する制御を独立して行うことが考えられている。【００１０】
両基地局装置は、もう一方の基地局装置が移動局装置に対してどのような制御を行っているかわからない。このために、１つの基地局装置と移動局装置間で行っていたデータ送信の関連する上りリンクの送信タイミング制御は、デュアルコネクト時の複数の基地局装置と移動局装置間の送信タイミング制御としては効率が悪い。【００１１】
本発明は、このような事情に鑑みてなされたものであり、デュアルコネクト時に移動局装置の送信タイミング関連制御を効率良く動作させるための無線通信システム、基地局装置、移動局装置、無線通信方法及び集積回路を提供することを目的とする。
【課題を解決するための手段】
【００１２】
（１）上記の目的を達成するために、本発明の一態様は、以下のような手段を講じた。すなわち、本発明の第１の態様の無線通信システムは、第一の基地局装置と第二の基地局装置が複数セルを介して端末装置と通信を行う無線通信システムであって、前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、前記グループ毎に、送信タイミング情報を適用した場合にスタートまたはリスタートする送信タイミングタイマーを用いて制御され、前記第一の基地局装置は、前記グループに関する情報と前記送信タイミングタイマーの情報を前記端末装置に通知し、前記端末装置は、前記グループに関する情報に基づいて前記グループを管理し、基地局装置単位で前記グループを制御する。【００１３】
（２）また、本発明の第２の態様は、（１）に記載の無線通信システムにおいて、端末装置は、前記第一のグループの送信タイミングタイマーが満了した場合、前記第一のグループのセルおよび前記第一の基地局装置に属する前記第三のグループのセルに対応する送信ＨＡＲＱバッファのデータを消去し、前記第二のグループの送信タイミングタイマーが満了した場合、前記第二のグループのセルおよび前記第二の基地局装置に属する前記第三のグループのセルに対応する送信ＨＡＲＱバッファのデータを消去し、前記第三のグループの送信タイミングタイマーが満了した場合、前記送信タイミングタイマーが満了した前記第三のグループのセルに対応する送信ＨＡＲＱバッファのデータを消去する。【００１４】
（３）また、本発明の第３の態様は、（２）に記載の無線通信システムにおいて、第二の基地局装置に属する前記第二のセルに対する設定として、上りリンク制御チャネルが設定される。【００１５】
（４）また、本発明の第４の態様の端末装置は、第一の基地局装置と第二の基地局装置が複数セルを介して通信を行う端末装置であって、前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、前記グループ毎に、送信タイミング情報を適用した場合にスタートまたはリスタートする送信タイミングタイマーを用いて制御され、前記第一の基地局装置から前記グループに関する情報と前記送信タイミングタイマーの情報を受信し、前記グループに関する情報に基づいて前記グループを管理し、基地局装置単位で前記グループを制御する。【００１６】
（５）また、本発明の第５の態様は、（４）に記載の端末装置において、前記第一のグループの送信タイミングタイマーが満了した場合、前記第一のグループのセルおよび第一の基地局装置に属する前記第三のグループのセルに対応する送信ＨＡＲＱバッファのデータを消去し、前記第二のグループの送信タイミングタイマーが満了した場合、前記第二のグループのセルおよび前記第二の基地局装置に属する前記第三のグループのセルに対応する送信ＨＡＲＱバッファのデータを消去し、前記第三のグループの送信タイミングタイマーが満了した場合、送信タイミングタイマーが満了した前記第三のグループのセルに対応する送信ＨＡＲＱバッファのデータを消去する。【００１７】
（６）また、本発明の第６の態様は、（５）に記載の端末装置において、前記第一のグループの送信タイミングタイマーが満了した場合、前記第一のセルに割り当てられている上りリンク制御チャネルを解放し、前記第二のグループの送信タイミングタイマーが満了した場合、前記第二のセルに割り当てられている上りリンク制御チャネルを解放する。【００１８】
（７）また、本発明の第７の態様は、（６）に記載の端末装置において、前記第一のグループの送信タイミングタイマーが停止している場合、前記第一のセルでのランダムアクセスプリアンブル送信以外の前記第一のグループのセルおよび前記第一の基地局装置に属する前記第三のグループのセルでの上りリンク送信を禁止し、前記第二のグループの送信タイミングタイマーが満了した場合、前記第二のセルでのランダムアクセスプリアンブル送信以外の前記第二のグループのセルおよび前記第二の基地局装置に属する前記第三のグループのセルでの上りリンク送信を禁止する。【００１９】
（８）また、本発明の第８の態様の基地局装置は、第一の基地局装置とともに複数セルを介して端末装置と通信を行う基地局装置であって、前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、自基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または自基地局装置に属する第三のセルから構成される第三のグループにグループ化され、前記グループ毎に、送信タイミング情報を適用した場合にスタートまたはリスタートする送信タイミングタイマーを用いて制御され、前記第一の基地局装置から前記第二のグループおよび前記第一の基地局装置の前記第三のグループに関する情報と前記送信タイミングタイマーの情報を受信し、前記第一のグループおよび前記第二のグループおよび前記第三のグループに関する情報と前記送信タイミングタイマーの情報を前記端末装置に通知する。【００２０】
（９）また、本発明の第９の態様の無線通信システムの無線通信方法は、第一の基地局装置と第二の基地局装置が複数セルを介して端末装置と通信を行う無線通信システムの無線通信方法であって、前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、前記グループ毎に、送信タイミング情報を適用した場合にスタートまたはリスタートする送信タイミングタイマーを用いて制御され、前記第一の基地局装置は、前記グループに関する情報と前記送信タイミングタイマーの情報を前記端末装置に通知するステップと、前記端末装置は、前記第一のグループの送信タイミングタイマーが満了した場合、前記第一のグループのセルおよび第一の基地局装置に属する前記第三のグループのセルに対応する送信ＨＡＲＱバッファのデータを消去するステップと、前記第二のグループの送信タイミングタイマーが満了した場合、前記第二のグループのセルおよび前記第二の基地局装置に属する前記第三のグループのセルに対応する送信ＨＡＲＱバッファのデータを消去するステップと、前記第三のグループの送信タイミングタイマーが満了した場合、前記送信タイミングタイマーが満了した前記第三のグループのセルに対応する送信ＨＡＲＱバッファのデータを消去するステップを含む。【００２１】
（１０）また、本発明の第１０の態様の集積回路は、第一の基地局装置とともに複数セルを介して端末装置と通信を行う第二の基地局装置に適用される集積回路であって、前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、前記グループ毎に、送信タイミング情報を適用した場合にスタートまたはリスタートする送信タイミングタイマーを用いて制御され、前記第一の基地局装置から前記第二のグループおよび前記第一の基地局装置の前記第三のグループに関する情報と前記送信タイミングタイマーの情報を受信する手段と、前記第一のグループおよび前記第二のグループおよび前記第三のグループに関する情報と前記送信タイミングタイマーの情報を前記端末装置に通知する手段を有する。【００２２】
（１１）また、本発明の第１１の態様の集積回路は、第一の基地局装置と第二の基地局装置が複数セルを介して通信を行う端末装置に適用される集積回路であって、前記複数セルは、第一の上りリンク送信タイミングを有する１つ以上のセルから構成され、前記第一の基地局装置に属する第一のセルを含む第一のグループと、前記第一の上りリンク送信タイミングと異なる第二の上りリンク送信タイミングを有する１つ以上のセルから構成され、前記第二の基地局装置に属する第二のセルを含む第二のグループと、前記第一の上りリンク送信タイミングおよび前記第二の上りリンク送信タイミングと異なる第三の上りリンク送信タイミングを有する１つ以上の前記第一の基地局装置または前記第二の基地局装置に属する第三のセルから構成される第三のグループにグループ化され、前記グループ毎に、送信タイミング情報を適用した場合にスタートまたはリスタートする送信タイミングタイマーを用いて制御され、前記第一の基地局装置から前記グループに関する情報と前記送信タイミングタイマーの情報を受信する手段と、前記グループに関する情報に基づいて前記グループを管理する手段と、基地局装置単位で前記グループを制御する手段を有する。【００２３】
（１２）また、本発明の第１２の態様は、（１１）に記載の集積回路において、前記第一のグループの送信タイミングタイマーが満了した場合、前記第一のグループのセルおよび前記第一の基地局装置に属する前記第三のグループのセルに対応する送信ＨＡＲＱバッファのデータを消去する手段と、前記第二のグループの送信タイミングタイマーが満了した場合、前記第二のグループのセルおよび前記第二の基地局装置に属する前記第三のグループのセルに対応する送信ＨＡＲＱバッファのデータを消去する手段と、前記第三のグループの送信タイミングタイマーが満了した場合、前記送信タイミングタイマーが満了した前記第三のグループのセルに対応する送信ＨＡＲＱバッファのデータを消去する手段を有する。
【発明の効果】
【００２４】
本発明の一態様によれば、デュアルコネクト時に移動局装置で効率のよい送信タイミング制御を行うことが可能となる。また、基地局装置は移動局装置に対して効率のよいデータスケジューリングを行うことができる。
【図面の簡単な説明】
【００２５】
【図１】本発明の実施形態に係る移動局装置の構成の一例を示す図である。
【図２】本発明の実施形態に係る基地局装置の構成の一例を示す図である。
【図３】本発明のデュアルコネクト時の接続例に示す図である。
【図４】本発明のデュアルコネクト時の接続例を示す図である。
【図５】本発明の実施形態に係るセルの構成例に示す図である。
【図６】本発明の実施形態に係るセルの構成例を示す図である。
【図７】ＥＵＴＲＡにおける物理チャネル構成例を示す図である。
【図８】ＥＵＴＲＡにおける下りリンクのチャネル構成例を示す図である。
【図９】ＥＵＴＲＡにおける上りリンクのチャネル構成例を示す図である。
【図１０】基地局装置及び移動局装置の制御情報に関する通信プロトコルの構成例を示す図である。
【図１１】基地局装置及び移動局装置のユーザー情報に関する通信プロトコルの構成例を示す図である。
【図１２】Contention based Random Access手順を示す図である。
【図１３】Non-contention based Random Access手順を示す図である。
【図１４】送信タイミングの更新手順例についての説明図である。
【図１５】デュアルコネクトの一例についての説明図である。
【発明を実施するための形態】
【００２６】
ＥＵＴＲＡの下りリンクとして、ＯＦＤＭ方式が採用されている。また、ＥＵＴＲＡの上りリンクとして、ＤＦＴ−ｓｐｒｅａｄ  ＯＦＤＭ方式のシングルキャリア通信方式が採用されている。
【００２７】
図７は、ＥＵＴＲＡの物理チャネル構成を示す図である。下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。この他に下りリンク同期信号、下りリンク参照信号の物理信号がある（非特許文献１）。
【００２８】
上りリンクの物理チャネルは、物理ランダムアクセスチャネルＰＲＡＣＨ（Physical Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている。この他に上りリンク参照信号の物理信号がある。上りリンク参照信号には、復調用参照信号（Demodulation Reference Signal：ＤＲＳ）と測定用参照信号（Sounding Reference Signal：ＳＲＳ）がある。測定用参照信号には、更に周期的測定用参照信号（Periodic SRS）と非周期的測定用参照信号（Aperiodic SRS）とがある。以後、特に明記しない場合、測定用参照信号とは周期的測定用参照信号のことを示す（非特許文献１）。
【００２９】
図８は、ＥＵＴＲＡの下りリンクのチャネル構成を示す図である。図８に示す下りリンクのチャネルは、それぞれ論理チャネル、トランスポートチャネル、物理チャネルから構成されている。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルによって物理層に伝達されたデータを運ぶ物理的なチャネルである。
【００３０】
下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００３１】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００３２】
下りリンクの物理チャネルには、物理報知チャネルＰＢＣＨ（Physical Broadcast Channel）、物理下りリンク制御チャネルＰＤＣＣＨ（Physical Downlink Control Channel）、物理下りリンク共用チャネルＰＤＳＣＨ（Physical Downlink Shared Channel）が含まれる。これらのチャネルは、基地局装置と移動局装置の間で送受信される。
【００３３】
次に、論理チャネルについて説明する。報知制御チャネルＢＣＣＨは、システム制御情報を報知するために使用される下りリンクチャネルである。ページング制御チャネルＰＣＣＨは、ページング情報を送信するために使用される下りリンクチャネルであり、ネットワークが移動局装置のセル位置を知らないときに使用される。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００３４】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００３５】
次に、トランスポートチャネルについて説明する。報知チャネルＢＣＨは、固定かつ事前に定義された送信形式によって、セル全体に報知される。下りリンク共用チャネルＤＬ−ＳＣＨでは、ＨＡＲＱ（Hybrid Automatic Repeat Request：ハイブリッド自動再送要求）、動的適応無線リンク制御、間欠受信（ＤＲＸ：Discontinuous Reception）がサポートされ、セル全体に報知される必要がある。
【００３６】
ページングチャネルＰＣＨでは、ＤＲＸがサポートされ、セル全体に報知される必要がある。また、ページングチャネルＰＣＨは、トラフィックチャネルや他の制御チャネルに対して動的に使用される物理リソース、すなわち物理下りリンク共用チャネルＰＤＳＣＨにマッピングされる。
【００３７】
次に、物理チャネルについて説明する。物理報知チャネルＰＢＣＨは、４０ミリ秒周期で報知チャネルＢＣＨをマッピングする。物理下りリンク制御チャネルＰＤＣＣＨは、下りリンク共用チャネルＰＤＳＣＨの無線リソース割り当て（下りリンク割り当て：Downlink assignment）、下りリンクデータに対するハイブリッド自動再送要求（ＨＡＲＱ）情報、および、物理上りリンク共用チャネルＰＵＳＣＨの無線リソース割り当てである上りリンク送信許可（上りリンクグラント：Uplink grant）を移動局装置に通知するために使用されるチャネルである。物理下りリンク共用チャネルＰＤＳＣＨは、下りリンクデータまたはページング情報を送信するために使用されるチャネルである。
【００３８】
尚、物理下りリンク制御チャネルＰＤＣＣＨは、１サブフレームの先頭からリソースブロックの１〜３シンボルＯＦＤＭに配置され、下りリンク共用チャネルＰＤＳＣＨは、残りのＯＦＤＭシンボルに配置される。１サブフレームは、２つのリソースブロックから構成され、１フレームは、１０サブフレームで構成される。１リソースブロックは、１２本のサブキャリアと７つのＯＦＤＭシンボルから構成される。
【００３９】
また、基地局装置が物理下りリンク制御チャネルＰＤＣＣＨで移動局装置に物理下りリンク共用チャネルＰＤＳＣＨの無線リソース割り当てを移動局装置に通知した場合、移動局装置に割り当てられた物理下りリンク共用チャネルＰＤＳＣＨの領域は、下りリンク割り当てが通知された物理下りリンク制御チャネルＰＤＣＣＨと同じサブフレーム内の物理下りリンク共用チャネルＰＤＳＣＨである。
【００４０】
次に、チャネルマッピングについて説明する。図８に示されるように、下りリンクでは、次のようにトランスポートチャネルと物理チャネルのマッピングが行われる。報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００４１】
また、下りリンクにおいて、次のように論理チャネルとトランスポートチャネルのマッピングが行われる。ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００４２】
図９は、ＥＵＴＲＡの上りリンクのチャネル構成を示す図である。図９に示す上りリンクのチャネルは、それぞれ論理チャネル、トランスポートチャネル、物理チャネルから構成されている。各チャネルの定義は下りリンクのチャネルと同じである。
【００４３】
上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００４４】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００４５】
上りリンクの物理チャネルには、物理上りリンク制御チャネルＰＵＣＣＨ（Physical Uplink Control Channel）、物理上りリンク共用チャネルＰＵＳＣＨ（Physical Uplink Shared Channel）と物理ランダムアクセスチャネルＰＲＡＣＨ（Physical Random Access Channel）が含まれる。これらのチャネルは、基地局装置と移動局装置の間で送受信される。
【００４６】
次に、論理チャネルについて説明する。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００４７】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００４８】
次に、トランスポートチャネルについて説明する。上りリンク共用チャネルＵＬ−ＳＣＨでは、ＨＡＲＱ（Hybrid Automatic Repeat Request：ハイブリッド自動再送要求）、動的適応無線リンク制御、間欠送信（ＤＴＸ：Discontinuous Transmission）がサポートされる。ランダムアクセスチャネルＲＡＣＨでは、制限された制御情報が送信される。
【００４９】
次に、物理チャネルについて説明する。物理上りリンク制御チャネルＰＵＣＣＨは、下りリンクデータに対する応答情報（ＡＣＫ(Acknowledge)/ＮＡＣＫ(Negative acknowledge)）、下りリンクの無線品質情報、および、上りリンクデータの送信要求（スケジューリングリクエスト：Scheduling Request：ＳＲ）を基地局装置に通知するために使用されるチャネルである。物理上りリンク共用チャネルＰＵＳＣＨは、上りリンクデータを送信するために使用されるチャネルである。物理ランダムアクセスチャネルＰＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。
【００５０】
次に、チャネルマッピングについて説明する。図９に示されるように、上りリンクでは、次のようにトランスポートチャネルと物理チャネルのマッピングが行われる。上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、物理チャネル単独で使用される。
【００５１】
また、上りリンクにおいて、次のように論理チャネルとトランスポートチャネルのマッピングが行われる。共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００５２】
図１０は、ＥＵＴＲＡの移動局装置及び基地局装置の制御データを扱うプロトコルスタック（Protocol stack）である。図１１は、ＥＵＴＲＡの移動局装置及び基地局装置のユーザーデータを扱うプロトコルスタックである。図１０及び図１１について以下で説明する。
【００５３】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。移動局装置と基地局装置のＰＨＹ層間において、物理チャネルを介してデータの送受信が行われる。
【００５４】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザー情報を伝送するトラフィックチャネルに分けられる。ＭＡＣ層は、間欠受送信（ＤＲＸ・ＤＴＸ）を行うためにＰＨＹ層の制御を行う機能、送信電力の情報を通知する機能、ＨＡＲＱ制御を行う機能等を持っている。
【００５５】
また、ＭＡＣ層は、各論理チャネルに対応する送信バッファのデータ量を通知する機能（バッファステータスレポート（Buffer Status Report：ＢＳＲ））、上りリンクデータを送信するための無線リソース要求を行う機能（スケジューリングリクエスト（Scheduling Request））を持っている。ＭＡＣ層は、初期アクセスやスケジューリングリクエストなどを行う場合にランダムアクセス手順を実行する。
【００５６】
また、ＭＡＣ層は、キャリアアグリゲーションを行う場合、セルのアクティベーション／デアクティベーションを行うためにＰＨＹ層の制御を行う機能及び上りリンクの送信タイミングを管理するためにＰＨＹ層の制御行う機能も持っている。
【００５７】
ＲＬＣ層は、上位層から受信したデータを分割（Segmentation）及び連結(Concatenation)し、下位層が適切にデータ送信できるようにデータサイズを調節する。また、ＲＬＣ層は、各データが要求するＱｏＳ（Quality of Service）を保証するための機能も持つ。すなわち、ＲＬＣ層は、データの再送制御等の機能を持つ。
【００５８】
パケットデータコンバージェンスプロトコル層（Packet Data Convergence Protocol layer：ＰＤＣＰ層）は、ユーザーデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００５９】
無線リソース制御層（Radio Resource Control layer：ＲＲＣ層）は、制御情報のみ定義される。ＲＲＣ層は、無線ベアラ（Radio Bearer：ＲＢ）の設定・再設定を行い、論理チャネル、トランスポートチャネル及び物理チャネルの制御を行う。ＲＢは、シグナリグ無線ベアラ（Signaling Radio Bearer：ＳＲＢ）とデータ無線ベアラ（Data Radio Bearer：ＤＲＢ）とに分けられ、ＳＲＢは、制御情報であるＲＲＣメッセージを送信する経路として利用される。ＤＲＢは、ユーザー情報を送信する経路として利用される。基地局装置と移動局装置のＲＲＣ層間で各ＲＢの設定が行われる。
【００６０】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００６１】
ランダムアクセス手順について説明する。ランダムアクセス手順には、Contention based Random Access手順（競合ベースランダムアクセス手順）とNon-contention based Random Access手順（非競合ベースランダムアクセス手順）の２つのアクセス手順がある（非特許文献１）。
【００６２】
図１２は、Contention based Random Access手順を示す図である。Contention based Random Access手順は、移動局装置間で衝突する可能性のあるランダムアクセスであり、Contention based Random Access手順は、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００６３】
図１３は、Non-contention based Random Access手順を示す図である。Non-contention based Random Access手順は、移動局装置間で衝突が発生しないランダムアクセスであり、基地局装置と移動局装置が接続中であるが、上りリンクの同期が外れている場合に迅速に移動局装置と基地局装置との間の上りリンク同期をとるためにハンドオーバーや移動局装置の送信タイミングが有効でない場合等の特別な場合に基地局装置から指示されて移動局装置がランダムアクセスを開始する（非特許文献１）。Non-contention based Random Access手順は、ＲＲＣ（Ｒａｄｉｏ  Ｒｅｓｏｕｒｃｅ  Ｃｏｎｔｒｏｌ：Ｌａｙｅｒ３）層のメッセージ及び下りリンク制御チャネルＰＤＣＣＨの制御データにより指示される。
【００６４】
図１２を用いて、Contention based Random Access手順を簡単に説明する。まず、移動局装置１−１がランダムアクセスプリアンブルを基地局装置３−１に送信する（メッセージ１：（１）、ステップＳ１）。そして、ランダムアクセスプリアンブルを受信した基地局装置３−１が、ランダムアクセスプリアンブルに対する応答（ランダムアクセスレスポンス）を移動局装置１−１に送信する（メッセージ２：（２）、ステップＳ２）。移動局装置１−１がランダムアクセスレスポンスに含まれているスケジューリング情報を元に上位レイヤ（Layer2/Layer3）のメッセージを送信する（メッセージ３：（３）、ステップＳ３）。基地局装置３−１は、（３）の上位レイヤメッセージを受信できた移動局装置１−１に衝突確認メッセージを送信する（メッセージ４：（４）、ステップＳ４）。尚、Contention based Random Accessをランダムプリアンブル送信とも言う。
【００６５】
図１３を用いて、Non-contention based Random Access手順を簡単に説明する。まず、基地局装置３−１は、プリアンブル番号（または、シーケンス番号）と使用するランダムアクセスチャネル番号を移動局装置１−１に通知する（メッセージ０：（１’）、ステップＳ１１）。移動局装置１−１は、指定されたプリアンブル番号のランダムアクセスプリアンブルを指定されたランダムアクセスチャネルＲＡＣＨに送信する（メッセージ１：（２’）、ステップＳ１２）。そして、ランダムアクセスプリアンブルを受信した基地局装置３−１が、ランダムアクセスプリアンブルに対する応答（ランダムアクセスレスポンス）を移動局装置１−１に送信する（メッセージ２：（３’）、ステップＳ１３）。ただし、通知されたプリアンブル番号の値が０の場合は、Contention based Random Accessを行なう。尚、Non-contention based Random Accessを専用プリアンブル送信とも言う。
【００６６】
図１２及び図１４を用いて、移動局装置１−１が基地局装置３−１への接続手順を説明する。まず、移動局装置１−１は、報知チャネルＰＢＣＨ等から基地局装置３−１のシステム情報を取得し、システム情報に含まれているランダムアクセス関連情報からランダムアクセス手順を実行し基地局装置３−１との接続を行なう。移動局装置１−１は、システム情報のランダムアクセス関連情報等からランダムアクセスプリアンブルを生成する。そして、移動局装置１−１は、ランダムアクセスチャネルＲＡＣＨでランダムアクセスプリアンブルを送信する（メッセージ１：（１））。
【００６７】
基地局装置３−１は、移動局装置１−１からのランダムアクセスプリアンブルを検出すると、ランダムアクセスプリアンブルから移動局装置１−１と基地局装置３−１との間の送信タイミングのずれ量を算出し、Ｌａｙｅｒ２（Ｌ２）／Ｌａｙｅｒ３（Ｌ３）メッセージを送信するためスケジューリング（上りリンク無線リソース位置（上りリンク共用チャネルＰＵＳＣＨの位置）、送信フォーマット（メッセージサイズ）などの指定）を行ない、Ｔｅｍｐｏｒａｒｙ  Ｃ−ＲＮＴＩ（Cell-Radio Network Temporary Identity：移動局装置識別情報）を割り当て、下りリンク制御チャネルＰＤＣＣＨにランダムアクセスチャネルＲＡＣＨのランダムアクセスプリアンブルを送信した移動局装置１−１宛の応答（ランダムアクセスレスポンス）を示すＲＡ−ＲＮＴＩ（Random Access-Radio Network Temporary Identity：ランダムアクセスレスポンス識別情報）を配置し、下りリンク共用チャネルＰＤＳＣＨに送信タイミング情報、スケジューリング情報、Ｔｅｍｐｏｒａｒｙ  Ｃ−ＲＮＴＩおよび受信したランダムアクセスプリアンブルの情報を含んだランダムアクセスレスポンスメッセージを送信する（メッセージ２：（２））。
【００６８】
移動局装置１−１は、下りリンク制御チャネルＰＤＣＣＨにＲＡ−ＲＮＴＩがあることを検出すると、下りリンク共用チャネルＰＤＳＣＨに配置されたランダムアクセスレスポンスメッセージの中身を確認し、送信したランダムアクセスプリアンブルの情報が含まれている場合、送信タイミング情報から上りリンクの送信タイミングを調整し、スケジューリングされた無線リソースと送信フォーマットでＣ−ＲＮＴＩ（またはTemporary C-RNTI）または、ＩＭＳＩ（International Mobile Subscriber Identity）等の移動局装置１−１を識別する情報を含むＬ２／Ｌ３メッセージを送信する（メッセージ３：（３））。
【００６９】
移動局装置１−１は、送信タイミングを調整した場合に、調整した送信タイミングが有効である送信タイミングタイマーをスタートする。尚、この送信タイミングタイマーが満了すると調整した送信タイミングは無効となる。送信タイミングが有効の間、移動局装置１−１は、基地局装置３−１へのデータ送信が可能であり、送信タイミングが無効の場合、ランダムアクセスプリアンブルの送信のみ可能である。また、送信タイミングが有効な期間を上りリンク同期状態と言い、送信タイミングが有効でない期間を上りリンク非同期状態とも言う。
【００７０】
基地局装置３−１は、移動局装置１−１からのＬ２／Ｌ３メッセージを受信すると、受信したＬ２／Ｌ３メッセージに含まれるＣ−ＲＮＴＩ（またはTemporary C-RNTI）またはＩＭＳＩを使用して移動局装置１−１〜１−３間で衝突が起こっているかどうか判断するための衝突確認（コンテンションレゾリューション）メッセージを移動局装置１−１に送信する（メッセージ４：（４））。
【００７１】
尚、移動局装置１−１は、一定期間内に送信したランダムアクセスプリアンブルに対応するプリアンブル番号を含むランダムアクセスレスポンスメッセージを検出しなかった場合、メッセージ３の送信に失敗した場合、または、一定期間内に衝突確認メッセージに自移動局装置１−１の識別情報を検出しなかった場合、ランダムアクセスプリアンブルの送信（メッセージ１：（１））からやり直す。
【００７２】
そして、ランダムアクセスプリアンブルの送信回数がシステム情報で示されたランダムアクセスプリアンブルの最大送信回数を越えた場合、移動局装置１−１は、ランダムアクセス失敗と判断し、基地局装置３−１との通信を切断する。尚、ランダムアクセス手順成功後は、更に基地局装置３−１と移動局装置１−１との間で接続の為の制御データのやり取りがされる。この時、基地局装置３−１は、個別に割り当てる上りリンク参照信号や上りリンク制御チャネルＰＵＣＣＨの割り当て情報を移動局装置１−１に通知する。
【００７３】
ランダムアクセス手順完了以降の上りリンクの送信タイミングの更新は、図１４に示すように基地局装置３−１が移動局装置１−１から送信される上りリンク参照信号（測定用参照信号、または、復調用参照信号）を測定して、送信タイミングを算出し、算出した送信タイミング情報を含む送信タイミングメッセージを移動局装置１−１に通知することで行なわれる。
【００７４】
移動局装置１−１は、基地局装置３−１から通知された送信タイミングメッセージで示された送信タイミングを更新すると送信タイミングタイマーをリスタート（restart）する。尚、基地局装置３−１も移動局装置１−１と同じ送信タイミングタイマーを保持しており、送信タイミング情報を送信した場合、送信タイミングタイマーをスタート、または、リスタートする。このようにすることで、基地局装置３−１と移動局装置１−１で上りリンク同期状態を管理する。尚、送信タイミングタイマーが満了した場合、または、送信タイミングタイマーが動作していない場合、送信タイミングは無効である。
【００７５】
３ＧＰＰでは、ＥＵＴＲＡの更なる進化のＡｄｖａｎｃｅｄ−ＥＵＴＲＡの議論も行われている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００７６】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献１）。
【００７７】
また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。複数セルを束ねて、複数セルを介して基地局装置と移動局装置が通信を行うことをキャリアアグリゲーションと言う。
【００７８】
１つの基地局装置が、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（プライマリーセル（Primary Cell：ＰＣｅｌｌ））とそれ以外のセルを第二セル（セカンダリーセル（Secondary Cell：ＳＣｅｌｌ））とに分類される。第一セルには、物理上りリンク制御チャネルＰＵＣＣＨの割り当てなど特別な機能が設定されている。
【００７９】
また、移動局装置の消費電力を少なくするために、割り当て直後の第二セルに対し、移動局装置は下りリンクの受信処理を行わない（または、物理下りリンク制御チャネルＰＤＣＣＨで指示された無線リソース割り当て情報に従わない）。そして、移動局装置は、基地局装置から第二セルに対してアクティベート（Activate）を指示された後、アクティベートを指示された第二セルに対して下りリンクの受信処理を開始する（または、物理下りリンク制御チャネルＰＤＣＣＨで指示された無線リソース割り当て情報に従う）ようにしている。
【００８０】
また、移動局装置は、基地局装置からアクティベートしている第二セルに対してデアクティベート（deactivate）を指示された後、デアクティベートを指示された第二セルに対して下りリンクの受信処理を停止する（または、物理下りリンク制御チャネルＰＤＣＣＨで指示された無線リソース割り当て情報に従わない）ようにしている。尚、基地局装置からアクティベートを指示され、下りリンクの受信処理を行っている第二セルをアクティベートセルと言い、また、基地局装置から移動局装置への割り当て直後の第二セル及びデアクティベートを指示され、下りリンクの受信処理を停止している第二セルをデアクティベートセルと言う。また、第一セルは、常にアクティベートセルである。
【００８１】
また、Ａｄｖａｎｃｅｄ−ＥＵＴＲＡでは、図１５のように移動局装置１−１が、２つの基地局装置（基地局装置３−１および基地局装置３−２）とデュアルコネクト（Dual Connect）して同時に両基地局装置と通信を行うことも検討している。デュアルコネクトとは、マクロセルの基地局装置３−１とスモールセルの基地局装置３−２との間が光ファイバーのような無遅延とみなせる高速なバックボーン回線（ｂａｃｋｈａｕｌとも称する）ではなく、遅延のある低速なバックボーン回線を用いて接続されているときに、移動局装置１−１がマクロセルの基地局装置３−１とスモールセルの基地局装置３−２と接続して、移動局装置１−１と両基地局装置が複数セルを介してデータの送受信を行うことを仮定している（非特許文献２）。
【００８２】
キャリアアグリゲーションと同様に、デュアルコネクトでは、マクロセルを第一セル（ＰＣｅｌｌ）、スモールセルを第二セル（ＳＣｅｌｌ）として、移動局装置１−１と基地局装置間で通信が行われる。また、デュアルコネクトでは、マクロセルの基地局装置３−１と移動局装置１−１間で制御データの送受信を行い、スモールセルの基地局装置３−２と移動局装置１−１間でユーザーデータの送受信を行ってもよい。さらに、制御データおよびユーザーデータよりさらに細かいデータの種類（例えば、ＱｏＳまたは論理チャネル等）に基づいて、データ送受信する基地局装置を変更してもよい。
【００８３】
デュアルコネクトでは、基地局装置間が遅延のある低速の回線で接続されているため、基地局装置間の回線の遅延を考慮して、マクロセルの基地局装置３−１およびスモールセルの基地局装置３−２のそれぞれが、移動局装置１−１に対して独立して下りリンク及び上りリンクのデータスケジューリング及び下りリンクデータの送信を行う。
【００８４】
尚、各基地局装置の配置関係により移動局装置１−１での下りリンクコンポーネントキャリア毎の受信タイミングと、上りリンクコンポーネントキャリア毎の基地局装置への送信タイミングの両方または一方がセル毎に異なる場合、上りリンクの送信タイミングが同じとなるセルをグループ化して通信を行う。この送信タイミングが同じとなるセルをグループ化することを送信タイミンググループ(Timing Advance Group)という。移動局装置１−１のＭＡＣ層は、送信タイミンググループを管理するためにＰＨＹ層の制御を行う機能も持っている。
【００８５】
（実施形態）
[構成説明]
図１は、本発明の実施形態に係る移動局装置の構成を示す図である。移動局装置１−１〜１−３は、データ生成部１０１、送信データ記憶部１０３、送信ＨＡＲＱ処理部１０５、送信処理部１０７、無線部１０９、受信処理部１１１、受信ＨＡＲＱ処理部１１３、ＭＡＣ情報抽出部１１５、ＰＨＹ制御部１１７、ＭＡＣ制御部１１９、データ処理部１２１、および、ＲＲＣ制御部１２３から構成される。
【００８６】
上位層からのユーザーデータおよびＲＲＣ制御部１２３からの制御データは、データ生成部１０１に入力される。データ生成部１０１は、ＰＤＣＰ層、ＲＬＣ層の機能を持つ。データ生成部１０１は、ユーザーデータのＩＰパケットのヘッダ圧縮やデータの暗号化、データの分割及び結合等の処理を行い、データサイズを調節する。データ生成部１０１は、処理を行ったデータを送信データ記憶部１０３に出力する。
【００８７】
送信データ記憶部１０３は、データ生成部１０１から入力されたデータを蓄積し、ＭＡＣ制御部１１９からの指示に基づいて指示されたデータを指示されたデータ量分だけ送信ＨＡＲＱ処理部１０５に出力する。また、送信データ記憶部１０３は、蓄積されたデータのデータ量の情報をＭＡＣ制御部１１９に出力する。
【００８８】
送信ＨＡＲＱ処理部１０５は、入力データに符号化を行い、符号化したデータにパンクチャ処理を行う。そして、送信ＨＡＲＱ処理部１０５は、パンクチャしたデータを送信処理部１０７に出力し、符号化したデータを保存する。送信ＨＡＲＱ処理部１０５は、ＭＡＣ制御部１１９からデータの再送を指示された場合、保存してある（バッファリングしてある）符号化したデータから前回に行なったパンクチャと異なるパンクチャ処理を行い、パンクチャしたデータを送信処理部１０７に出力する。送信ＨＡＲＱ処理部１０５は、ＭＡＣ制御部１１９からデータの消去を指示された場合、指定されたセルに対応するデータの消去を行う。
【００８９】
送信処理部１０７は、送信ＨＡＲＱ処理部１０５から入力されたデータに変調・符号化を行なう。送信処理部１０７は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理上りリンク共用チャネル（ＰＵＳＣＨ）に配置し、無線部１０９に出力する。
【００９０】
また、送信処理部１０７は、ＰＨＹ制御部１１７から受信データの応答指示があった場合、ＡＣＫまたはＮＡＣＫ信号を生成し、生成した信号を物理上りリンク制御チャネル（ＰＵＣＣＨ）に配置し、無線部１０９に出力する。送信処理部１０７は、ＰＨＹ制御部１１７からランダムアクセスプリアンブルの送信指示があった場合、ランダムアクセスプリアンブルを生成し、生成した信号を物理ランダムアクセスチャネルＰＲＡＣＨに配置し、無線部１０９に出力する。
【００９１】
無線部１０９は、送信処理部１０７から入力されたデータをＰＨＹ制御部１１７から指示された送信位置情報（送信セル情報）の無線周波数にアップコンバートし、送信電力を調整して送信アンテナからデータを送信する。また、無線部１０９は、受信アンテナより受信した無線信号をダウンコンバートし、受信処理部１１１に出力する。無線部１０９は、ＰＨＹ制御部１１７から受信した送信タイミング情報を上りリンクの送信タイミングとして設定する。
【００９２】
受信処理部１１１は、無線部１０９から入力された信号をＦＦＴ（Fast Fourier Transform（高速フーリエ変換））処理、復号化、復調処理等を行なう。受信処理部１１１は、物理下りリンク制御チャネルＰＤＣＣＨまたは物理拡張下りリンク制御チャネルＥＰＤＣＣＨの復調を行い、自移動局装置の下りリンク割り当て情報を検出した場合、下りリンク割り当て情報にもとづいて、物理下りリンク共用チャネルＰＤＳＣＨの復調を行い、下りリンク割り当て情報を取得したことをＭＡＣ制御部１１９に出力する。
【００９３】
受信処理部１１１は、復調した物理下りリンク共用チャネルＰＤＳＣＨのデータを受信ＨＡＲＱ処理部１１３に出力する。受信処理部１１１は、物理下りリンク制御チャネルＰＤＣＣＨまたは物理拡張下りリンク制御チャネルＥＰＤＣＣＨの復調を行い、上りリンク送信許可情報（Uplink grant:上りリンクグラント）、上りリンク送信データの応答情報（ＡＣＫ／ＮＡＣＫ）を検出した場合、取得した応答情報をＭＡＣ制御部１１９に出力する。尚、上りリンク送信許可情報は、データの変調・符号化方式、データサイズ情報、ＨＡＲＱ情報、送信位置情報などがある。
【００９４】
受信ＨＡＲＱ処理部１１３は、受信処理部１１１からの入力データの復号処理を行い、復号処理に成功した場合、データをＭＡＣ情報抽出部１１５に出力する。受信ＨＡＲＱ処理部１１３は、入力データの復号処理に失敗した場合、復号処理に失敗したデータを保存する。受信ＨＡＲＱ処理部１１３は、再送データを受信した場合、保存してあるデータと再送データを合成し、復号処理を行う。また、受信ＨＡＲＱ処理部１１３は、入力データの復号処理の成否をＭＡＣ制御部１１９に通知する。
【００９５】
ＭＡＣ情報抽出部１１５は、受信ＨＡＲＱ処理部１１３から入力されたデータからＭＡＣ層（Medium Access Control layer）の制御データを抽出し、抽出したＭＡＣ制御情報をＭＡＣ制御部１１９に出力する。ＭＡＣ情報抽出部１１５は、残りのデータをデータ処理部１２１に出力する。データ処理部１２１は、ＰＤＣＰ層、ＲＬＣ層の機能を持ち、圧縮されたＩＰヘッダの伸長（復元）機能や暗号化されたデータの復号機能、データの分割及び結合等の処理を行い、データを元の形に戻す。データ処理部１２１は、ＲＲＣメッセージとユーザーデータに分け、ＲＲＣメッセージをＲＲＣ制御部１２３に出力し、ユーザーデータを上位層に出力する。
【００９６】
ＰＨＹ制御部１１７は、ＭＡＣ制御部１１９からの指示により送信処理部１０７、無線部１０９、および、受信処理部１１１を制御する。ＰＨＹ制御部１１７は、ＭＡＣ制御部１１９から通知された変調・符号化方式、送信電力情報および送信位置情報（送信セル情報）から変調・符号化方式および送信位置を送信処理部１０７に通知し、送信セルの周波数情報および送信電力情報を無線部１０９に通知する。また、ＰＨＹ制御部１１７は、ＭＡＣ制御部１１９の指示により、送信処理部１０７、無線部１０９および受信処理部１１１の電源（電力供給の）ＯＮ／ＯＦＦ制御を行う。ＯＮ／ＯＦＦ制御とは、電力供給を待機電力まで下げることを含む省電力制御を示す。
【００９７】
ＭＡＣ制御部１１９は、ＭＡＣ層の機能を持ち、ＲＲＣ制御部１２３や下位層などから取得した情報をもとにＭＡＣ層の制御を行う。ＭＡＣ制御部１１９は、ＲＲＣ制御部１２３から指定されたデータ送信制御設定および送信データ記憶部１０３から取得したデータ量情報および受信処理部１１１から取得した上りリンク送信許可情報をもとにデータ送信先およびデータ送信優先順位を決定し、送信するデータに関する情報を送信データ記憶部１０３に通知する。また、ＭＡＣ制御部１１９は、送信ＨＡＲＱ処理部１０５にＨＡＲＱ情報を通知し、ＰＨＹ制御部１１７に変調・符号化方式および送信位置情報（送信セル情報）を出力する。
【００９８】
また、ＭＡＣ制御部１１９は、受信処理部１１１から上りリンク送信データに対する応答情報を取得し、応答情報がＮＡＣＫ（否応答）を示していた場合、送信ＨＡＲＱ処理部１０５とＰＨＹ制御部１１７に再送を指示する。ＭＡＣ制御部１１９は、受信ＨＡＲＱ処理部１１３からデータの復号処理の成否情報を取得した場合、ＰＨＹ制御部１１７にＡＣＫまたはＮＡＣＫ信号を送信するように指示する。
【００９９】
ＭＡＣ制御部１１９は、ＭＡＣ情報抽出部１１５から入力されたＭＡＣ制御情報の中でセル（または、コンポーネントキャリア）のアクティベーション／デアクティベーション指示情報及び間欠受信（ＤＲＸ）制御情報を取得した場合、アクティベーション／デアクティベーション制御及び間欠受信制御を行うために無線部１０９、送信処理部１０７及び受信処理部１１１の動作開始／動作停止制御を行うためにＰＨＹ制御部１１７を制御する。
【０１００】
ＭＡＣ制御部１１９は、ＲＲＣ制御部１２３から送信タイミンググループ情報、送信タイミングタイマー情報を取得する。ＭＡＣ制御部１１９は、送信タイミングタイマーを用いて各送信タイミンググループの上りリンクの送信タイミングを有効・無効を管理する。ＭＡＣ制御部１１９は、ＭＡＣ情報抽出部１１５から入力されたＭＡＣ制御情報の中で送信タイミングメッセージに含まれる送信タイミング情報をＰＨＹ制御部１１７へ出力する。ＭＡＣ制御部１１９は、セル毎または送信タイミンググループ毎に送信タイミングを設定した場合に対応する送信タイミングタイマーをスタートまたはリスタートさせる。
【０１０１】
ＭＡＣ制御部１１９は、デュアルコネクト時に送信タイミングタイマーが満了した場合、送信ＨＡＲＱ処理部１０５に送信タイミングタイマーが満了した送信タイミンググループのセルに対して保存してあるデータの消去を指示する。ＭＡＣ制御部１１９は、送信タイミングタイマーが満了した送信タイミンググループのセルに割り当てられている物理上りリンク制御チャネルＰＵＣＣＨおよび上りリンク測定用参照信号の無線リソースを解放するようＲＲＣ制御部１２３に通知する。また、ＭＡＣ制御部１１９は、送信タイミングタイマーが満了した送信タイミンググループのセルに対する上りリンク送信許可情報を破棄する。
【０１０２】
ＭＡＣ制御部１１９は、デュアルコネクトでない時に送信タイミングタイマーが満了した場合であって、第一セルを含む送信タイミンググループの送信タイミングタイマーが満了したとき、送信ＨＡＲＱ処理部１０５に全セルに対して保存してあるデータの消去を指示する。ＭＡＣ制御部１１９は、第一セルの物理上りリンク制御チャネルＰＵＣＣＨおよび全セルの上りリンク測定用参照信号の無線リソースを解放するようＲＲＣ制御部１２３に通知する。また、ＭＡＣ制御部１１９は、全セルに対する上りリンク送信許可情報を破棄する。
【０１０３】
また、ＭＡＣ制御部１１９は、デュアルコネクトでない時に送信タイミングタイマーが満了した場合であって、第一セルを含まない送信タイミンググループの送信タイミングタイマーが満了したとき、送信タイミングタイマーが満了した送信タイミンググループのセルに割り当てられている上りリンク測定用参照信号の無線リソースを解放するようＲＲＣ制御部１２３に通知する。また、ＭＡＣ制御部１１９は、送信タイミングタイマーが満了した送信タイミンググループのセルに対する上りリンク送信許可情報を破棄する。
【０１０４】
ＭＡＣ制御部１１９は、送信データ記憶部１０３に蓄積されているデータ量情報であるバッファステータスレポート（ＢＳＲ）を作成し、送信データ記憶部１０３に出力する。また、ＭＡＣ制御部１１９は、セル毎の送信電力情報であるパワーヘッドルームレポート（Power Headroom Report：ＰＨＲ）を作成し、送信データ記憶部１０３に出力する。
【０１０５】
ＲＲＣ制御部１２３は、基地局装置３−１との接続・切断処理、キャリアアグリゲーション設定（セルの追加、削除）、デュアルコネクトの設定、制御データおよびユーザーデータのデータ送信制御設定など基地局装置３−１及び基地局装置３−２と通信を行うための各種設定を行う。ＲＲＣ制御部１２３は、各種設定に伴う上位層との情報のやり取りを行い、前記各種設定に伴う下位層の制御を行う。
【０１０６】
ＲＲＣ制御部１２３は、ＲＲＣメッセージを作成し、作成したＲＲＣメッセージをデータ生成部１０１に出力する。ＲＲＣ制御部１２３は、データ処理部１２１から入力されたＲＲＣメッセージを解析する。ＲＲＣ制御部１２３は、自移動局装置の送信能力を示したメッセージを作成し、データ生成部１０１に出力する。また、ＲＲＣ制御部１２３は、ＭＡＣ層に必要な情報をＭＡＣ制御部１１９に出力し、物理層に必要な情報をＰＨＹ制御部１１７に出力する。
【０１０７】
ＲＲＣ制御部１２３は、キャリアアグリゲーション設定において各セルの送信タイミンググループ情報、送信タイミングタイマー情報を取得した場合、ＭＡＣ制御部１１９に各セルの送信タイミンググループ情報、送信タイミングタイマー情報を出力する。また、ＲＲＣ制御部１２３は、基地局装置３−１と基地局装置３−２とのデュアルコネクトでの通信を行うと認識した場合、デュアルコネクト状態であることをＭＡＣ制御部１１９に通知する。ＲＲＣ制御部１２３は、ＭＡＣ制御部１１９から物理上りリンク制御チャネルＰＵＣＣＨまたは上りリンク測定用参照信号の解放を通知された場合、割り当てられている物理上りリンク制御チャネルＰＵＣＣＨおよび上りリンク測定用参照信号を解放し、ＰＨＹ制御部１１７に物理上りリンク制御チャネルＰＵＣＣＨおよび上りリンク測定用参照信号の解放を指示する。
【０１０８】
尚、送信処理部１０７、無線部１０９、受信処理部１１１、ＰＨＹ制御部１１７は、物理層の動作を行い、送信データ記憶部１０３、送信ＨＡＲＱ処理部１０５、受信ＨＡＲＱ処理部１１３、ＭＡＣ情報抽出部１１５、ＭＡＣ制御部１１９は、ＭＡＣ層の動作を行い、データ生成部１０１及びデータ処理部１２１は、ＲＬＣ層及びＰＤＣＰ層の動作を行い、ＲＲＣ制御部１２３はＲＲＣ層の動作を行う。
【０１０９】
図２は、本発明の実施形態に係る基地局装置の構成を示す図である。基地局装置３−１、または、基地局装置３−２は、データ生成部２０１、送信データ記憶部２０３、送信ＨＡＲＱ処理部２０５、送信処理部２０７、無線部２０９、受信処理部２１１、受信ＨＡＲＱ処理部２１３、ＭＡＣ情報抽出部２１５、ＰＨＹ制御部２１７、ＭＡＣ制御部２１９、データ処理部２２１、ＲＲＣ制御部２２３、基地局装置間通信部２２５、ＭＭＥ通信部２２７、および、ＧＷ通信部２２９から構成される。
【０１１０】
ＧＷ通信部２２９からのユーザーデータおよびＲＲＣ制御２２３からの制御データは、データ生成部２０１に入力される。データ生成部２０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部２０１は、処理を行ったデータとデータの論理チャネル情報を送信データ記憶部２０３に出力する。
【０１１１】
送信データ記憶部２０３は、データ生成部２０１から入力されたデータをユーザー毎に蓄積し、ＭＡＣ制御部２１９からの指示に基づいて指示されたユーザーのデータを指示されたデータ量分だけ送信ＨＡＲＱ処理部２０５に出力する。また、送信データ記憶部２０３は、蓄積されたデータのデータ量の情報をＭＡＣ制御部２１９に出力する。
【０１１２】
送信ＨＡＲＱ処理部２０５は、入力データに符号化を行い、符号化したデータにパンクチャ処理を行う。そして、送信ＨＡＲＱ処理部２０５は、パンクチャしたデータを送信処理部２０７に出力し、符号化したデータを保存する。送信ＨＡＲＱ処理部２０５は、ＭＡＣ制御部２１９からデータの再送を指示された場合、保存してある符号化したデータから前回に行なったパンクチャと異なるパンクチャ処理を行い、パンクチャしたデータを送信処理部２０７に出力する。
【０１１３】
送信処理部２０７は、送信ＨＡＲＱ処理部２０５から入力されたデータに変調・符号化を行なう。送信処理部２０７は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【０１１４】
そして、送信処理部２０７は、生成したＯＦＤＭ信号を無線部２０９に出力する。また、送信処理部２０７は、ＭＡＣ制御部２１９から受信データの応答指示があった場合、ＡＣＫまたはＮＡＣＫ信号を生成し、生成した信号を物理下りリンク制御チャネルＰＤＣＣＨに配置し、無線部２０９に出力する。
【０１１５】
無線部２０９は、送信処理部２０７から入力されたデータを無線周波数にアップコンバートし、送信電力を調整して送信アンテナからデータを送信する。また、無線部２０９は、受信アンテナより受信した無線信号をダウンコンバートし、受信処理部２１１に出力する。受信処理部２１１は、無線部２０９から入力された信号をＦＦＴ（Fast Fourier Transform（高速フーリエ変換））処理、復号化、復調処理等を行なう。
【０１１６】
受信処理部２１１は、復調したデータの中で物理上りリンク共用チャネルＰＵＳＣＨのデータを受信ＨＡＲＱ処理部２１３に出力する。また、受信処理部２１１は、復調したデータの中で物理上りリンク制御チャネルＰＵＣＣＨから取得した制御データの下りリンク送信データの応答情報（ＡＣＫ／ＮＡＣＫ）、下りリンク無線品質情報（ＣＱＩ）及び上りリンク送信要求情報（スケジューリングリクエスト）をＭＡＣ制御部２１９に出力する。
【０１１７】
受信処理部２１１は、ランダムアクセスプリアンブルを検出した場合、検出したランダムアクセスプリアンブルから送信タイミングを算出して、検出したランダムアクセスプリアンブルの番号と算出した送信タイミングをＭＡＣ制御部２１９に出力する。受信処理部２１１は、上りリンク参照信号から送信タイミングを算出して、算出した送信タイミングをＭＡＣ制御部２１９に出力する。
【０１１８】
受信ＨＡＲＱ処理部２１３は、受信処理部２１１からの入力データの復号処理を行い、復号処理に成功した場合、データをＭＡＣ情報抽出部２１５に出力する。受信ＨＡＲＱ処理部２１３は、入力データの復号処理に失敗した場合、復号処理に失敗したデータを保存する。受信ＨＡＲＱ処理部２１３は、再送データを受信した場合、保存してあるデータと再送データを合成し、復号処理を行う。また、受信ＨＡＲＱ処理部２１３は、入力データの復号処理の成否をＭＡＣ制御部２１９に通知する。受信ＨＡＲＱ処理部２１３は、ＭＡＣ制御部２１９からデータの消去を指示された場合、指定されたセルに対応するデータの消去を行う。
【０１１９】
ＭＡＣ情報抽出部２１５は、受信ＨＡＲＱ処理部２１３から入力されたデータからＭＡＣ層の制御データを抽出し、抽出した制御情報をＭＡＣ制御部２１９に出力する。ＭＡＣ情報抽出部２１５は、残りのデータをデータ処理部２２１に出力する。データ処理部２２１は、ＰＤＣＰ層、ＲＬＣ層の機能を持ち、圧縮されたＩＰヘッダの伸長（復元）機能や暗号化されたデータの復号機能、データの分割及び結合等の処理を行い、データを元の形に戻す。データ処理部２２１は、ＲＲＣメッセージとユーザーデータに分け、ＲＲＣメッセージをＲＲＣ制御部２２３に出力し、ユーザーデータを上位層に出力する。
【０１２０】
ＭＡＣ制御部２１９は、ＭＡＣ層の機能を持ち、ＲＲＣ制御部２２３や下位層などから取得した情報をもとにＭＡＣ層の制御を行う。ＭＡＣ制御部２１９は、下りリンクおよび上りリンクのスケジューリング処理を行う。ＭＡＣ制御部２１９は、受信処理部２１１から入力された下りリンク送信データの応答情報（ＡＣＫ／ＮＡＣＫ）、下りリンク無線品質情報（ＣＱＩ）及び上りリンク送信要求情報（スケジューリングリクエスト）、ＭＡＣ情報抽出部２１５から入力された制御情報及び送信データ記憶部２０３から取得したユーザー毎のデータ量情報、および、移動局装置１−１の受信動作状態から下りリンク及び上りリンクのスケジューリング処理を行う。ＭＡＣ制御部２１９は、スケジュール結果を送信処理部２０７に出力する。
【０１２１】
また、ＭＡＣ制御部２１９は、受信処理部２１１から上りリンク送信データに対する応答情報を取得し、応答情報がＮＡＣＫ（否応答）を示していた場合、送信ＨＡＲＱ処理部２０５と送信処理部２０７に再送を指示する。ＭＡＣ制御部２１９は、受信ＨＡＲＱ処理部２１３からデータの復号処理の成否情報を取得した場合、送信処理部２０７にＡＣＫまたはＮＡＣＫ信号を送信するように指示する。
【０１２２】
また、ＭＡＣ制御部２１９は、移動局装置１−１に割り当てたセル（または、コンポーネントキャリア）のアクティベーション／デアクティベーション処理や上りリンク送信タイミングの管理等を行う。ＲＲＣ制御部２２３から取得した間欠受信パラメータから移動局装置１−１の受信動作状態を判断する。
【０１２３】
ＭＡＣ制御部２１９は、受信処理部２１１からランダムアクセスプリアンブル番号と送信タイミングを取得した場合、ランダムアクセスレスポンスメッセージを作成し、ランダムアクセスレスポンスメッセージを送信データ記憶部２０３に出力する。また、ＭＡＣ制御部２１９は、受信処理部２１１から送信タイミングを取得した場合、送信タイミングを含んだ送信タイミングメッセージを作成し、送信タイミングメッセージを送信データ記憶部２０３に出力する。
【０１２４】
ＭＡＣ制御部２１９は、送信タイミングタイマーを用いて移動局装置１−１の送信タイミンググループの上りリンク送信タイミングを管理する。ＭＡＣ制御部２１９は、移動局装置１−１に送信タイミンググループ毎の送信タイミングメッセージを送信した場合、対応する送信タイミングタイマーをスタートまたはリスタートさせる。
【０１２５】
ＭＡＣ制御部２１９は、デュアルコネクト時に送信タイミングタイマーが満了した場合、受信ＨＡＲＱ処理部２１３に送信タイミングタイマーが満了した送信タイミンググループのセルに対して保存してあるデータの消去を指示する。ＭＡＣ制御部２１９は、送信タイミングタイマーが満了した送信タイミンググループのセルに対する移動局装置１−１に割り当てた物理上りリンク制御チャネルＰＵＣＣＨおよび上りリンク測定用参照信号の無線リソースを解放するようＲＲＣ制御部２２３に通知する。また、ＭＡＣ制御部２１９は、送信タイミングタイマーが満了した送信タイミンググループのセルに対する上りリンクデータのスケジューリングを停止する。
【０１２６】
ＭＡＣ制御部２１９は、デュアルコネクトを行っていない移動局装置１−１において、第一セルを含む送信タイミンググループの送信タイミングタイマーが満了したとき、受信ＨＡＲＱ処理部２１３に移動局装置１−１に割り当てた全セルに対して保存してあるデータの消去を指示する。ＭＡＣ制御部２１９は、移動局装置１−１に割り当てた第一セルの物理上りリンク制御チャネルＰＵＣＣＨおよび全セルの上りリンク測定用参照信号の無線リソースを解放するようＲＲＣ制御部２２３に通知する。また、ＭＡＣ制御部２１９は、移動局装置１−１に対して、全セルに対する上りリンクデータのスケジューリングを停止する。
【０１２７】
ＭＡＣ制御部２１９は、デュアルコネクトを行っていない移動局装置１−１において、第一セルを含まない送信タイミンググループの送信タイミングタイマーが満了したとき、受信ＨＡＲＱ処理部２１３に移動局装置１−１に割り当てた送信タイミングタイマーが満了した送信タイミンググループのセルに対して保存してあるデータの消去を指示する。ＭＡＣ制御部２１９は、送信タイミングタイマーが満了した送信タイミンググループのセルに対する移動局装置１−１に割り当てた上りリンク測定用参照信号の無線リソースを解放するようＲＲＣ制御部２２３に通知する。また、ＭＡＣ制御部２１９は、移動局装置１−１に対して、送信タイミングタイマーが満了した送信タイミンググループのセルに対する上りリンクデータのスケジューリングを停止する。
【０１２８】
ＲＲＣ制御部２２３は、移動局装置１−１との接続・切断処理、キャリアアグリゲーション設定（セルの追加、削除）、デュアルコネクトの設定、移動局装置１−１の制御データおよびユーザーデータをどのセルで送受信するかのデータ送信制御設定など移動局装置１−１と通信を行うための各種設定を行い、前記各種設定に伴う上位層との情報のやり取りを行い、前記各種設定に伴う下位層の制御を行う。
【０１２９】
ＲＲＣ制御部２２３は、各種ＲＲＣメッセージを作成し、作成したＲＲＣメッセージをデータ生成部２０１に出力する。ＲＲＣ制御部２２３は、データ処理部２２１から入力されたＲＲＣメッセージを解析する。ＲＲＣ制御部２２３は、移動局装置１−１から移動局装置の送受信能力を示したメッセージを取得した場合、移動局装置の送受信能力情報に基づいて移動局装置１−１に適したキャリアアグリゲーションの設定、またはデュアルコネクトの設定を行う。
【０１３０】
また、ＲＲＣ制御部２２３は、ＭＡＣ層に必要な情報をＭＡＣ制御部２１９に出力し、物理層に必要な情報をＰＨＹ制御部２１７に出力する。また、ＲＲＣ制御部２２３は、ハンドオーバー、または、デュアルコネクトを行う場合、基地局装置間通信部２２５およびＭＭＥ通信部２２７に必要な情報を通知する。デュアルコネクト要求メッセージを受信した場合、ＲＲＣ制御部２２３は、移動局装置１−１に適用する送信タイミンググループ情報と送信タイミングタイマー情報を基地局装置間通信部２２５に通知する。ＲＲＣ制御部２２３は、ＭＡＣ制御部２１９から物理上りリンク制御チャネルＰＵＣＣＨまたは上りリンク測定用参照信号の解放を通知された場合、割り当てられている物理上りリンク制御チャネルＰＵＣＣＨおよび上りリンク測定用参照信号を解放し、ＰＨＹ制御部２１７に物理上りリンク制御チャネルＰＵＣＣＨおよび上りリンク測定用参照信号の解放を指示する。
【０１３１】
基地局装置間通信部２２５は、他の基地局装置と通信し、ＲＲＣ制御部２２３から入力された基地局装置間の制御メッセージを他の基地局装置に送信する。また、基地局装置間通信部２２５は、他の基地局装置からの基地局装置間の制御メッセージを受信し、受信した制御メッセージをＲＲＣ制御部２２３に出力する。基地局装置間の制御メッセージは、ハンドオーバーに関する制御メッセージ、デュアルコネクトに関する制御メッセージなどがある。
【０１３２】
ＭＭＥ通信部２２７は、ＭＭＥ（Mobility Management Entity）と通信し、ＲＲＣ制御部２２３から入力された基地局装置−ＭＭＥ間の制御メッセージをＭＭＥに送信する。また、ＭＭＥ通信部２２７は、ＭＭＥからの基地局装置−ＭＭＥ間の制御メッセージを受信し、受信した制御メッセージをＲＲＣ制御部２２３に出力する。基地局装置−ＭＭＥ間の制御メッセージには、パススイッチ要求メッセージ、パススイッチ要求応答メッセージなどがある。
【０１３３】
ＧＷ間通信部２２９は、ＧＷと通信し、ＧＷから送られる移動局装置のユーザーデータを受信し、受信したデータをデータ生成部２０１に出力する。また、ＧＷ間通信部２２９は、データ処理部２２１から入力された移動局装置のユーザーデータをＧＷに送信する。
【０１３４】
尚、送信処理部２０７、無線部２０９、受信処理部２１１は、ＰＨＹ層の動作を行い、送信データ記憶部２０３、送信ＨＡＲＱ処理部２０５、受信ＨＡＲＱ処理部２１３、ＭＡＣ情報抽出部２１５、ＭＡＣ制御部２１９は、ＭＡＣ層の動作を行い、データ生成部２０１及びデータ処理部２２１は、ＲＬＣ層及びＰＤＣＰ層の動作を行い、ＲＲＣ制御部２２３はＲＲＣ層の動作を行う。
【０１３５】
[動作説明]
図７〜図１５で説明したような無線通信システムを想定する。そして、図７が示すように、基地局装置３−１と複数の移動局装置１−１、１−２、１−３とが通信を行なう。また、図１５で説明したマクロセルの基地局装置３−１およびスモールセルの基地局装置３−２と移動局装置１−１が複数のセルを介して通信を行なうような無線通信システムを想定する。
【０１３６】
図３および図４に示すように移動局装置１−１は、デュアルコネクトで基地局装置３−１と基地局装置３−２と接続する。マクロセルの基地局装置３−１と移動局装置１−１間では、制御情報の送受信が行われる。スモールセルの基地局装置３−２と移動局装置１−１間では、ユーザー情報の送受信が行われる。
【０１３７】
図３に示すように移動局装置１−１は、デュアルコネクトで基地局装置３−１と基地局装置３−２と接続する。マクロセルの基地局装置３−１とＭＭＥ（Mobility Management Entity）間では、少なくとも移動局装置１−１の制御情報（Control-plane information）の送受信が行われる。スモールセルの基地局装置３−２とＧＷ（Gateway）間は、少なくとも移動局装置１−１のユーザー情報（User-plane information）の送受信が行われる。マクロセルの基地局装置３−１とスモールセルの基地局装置３−２の間では、移動局装置１−１を制御するための制御情報の送受信が行われる。
【０１３８】
また、図４に示すようなデュアルコネクト接続では、マクロセルの基地局装置３−１とＭＭＥ（Mobility Management Entity）間では、少なくとも移動局装置１−１の制御情報（Control-plane information）の送受信が行われる。マクロセルの基地局装置３−１とＧＷ（Gateway））間では、少なくとも移動局装置１−１のユーザー情報（User-plane information）の送受信が行われる。
【０１３９】
マクロセルの基地局装置３−１は、スモールセルの基地局装置３−２にＧＷから受信したユーザー情報を転送する。また、スモールセルの基地局装置３−２は、移動局装置１−１から受信したユーザー情報を基地局装置３−１に転送する。また、マクロセルの基地局装置３−１とスモールセルの基地局装置３−２の間では、移動局装置１−１を制御するための制御情報の送受信が行われる。
【０１４０】
移動局装置１−１、基地局装置３−１および基地局装置３−２の動作を説明する。尚、例として、基地局装置３−１は、図５のようにセル１、セル２を提供し、基地局装置３−２は、セル３、セル４を提供する。セル１およびセル２は、送信タイミングが同じ送信タイミンググループ（送信タイミンググループ１）であり、セル３およびセル４は別の送信タイミングが同じ送信タイミンググループ（送信タイミンググループ２）であるとする。尚、セル１は第一セルとして設定され、セル２、セル３およびセル４は、第二セルとして設定されるとする。
【０１４１】
移動局装置１−１は、セルサーチを行い、基地局装置３−１の１つのセルを見つける。ここでは移動局装置１−１は、セル１を見つけるとする。移動局装置１−１は、セル１の物理報知チャネルＰＢＣＨなどを受信し、システム情報（セルの物理チャネル構成、送信電力情報、ランダムアクセス手順に関する情報、送信タイミングタイマー情報など）を取得する。そして、移動局装置１−１は、システム情報に含まれるランダムアクセス手順に関する情報を使用して、初期アクセスのためにセル１の物理ランダムアクセスチャネルＲＡＣＨへランダムアクセスプリアンブルを送信する。
【０１４２】
そして、移動局装置１−１は、基地局装置３−１からセル１に対する送信タイミング情報を含んだランダムアクセスレスポンスメッセージを取得し、セル１の上りリンク送信タイミングとして送信タイミング情報を設定して、セル１のシステム情報で指定された送信タイミングタイマー（ここでは送信タイミングタイマー１とする）をスタートさせる。移動局装置１−１は、セル１を介してメッセージ３を基地局装置３−１へ送信する。尚、移動局装置１−１は、このメッセージ３に初期アクセスを示した内容を含めてメッセージ３を送信する。そして、移動局装置１−１は、コンテンションレゾリューションを基地局装置３−１から受信するとランダムアクセス手順を終了する。
【０１４３】
基地局装置３−１は、移動局装置１−１からの周辺セル測定報告結果に基づいて基地局装置３−２とのデュアルコネクトでの移動局装置１−１との通信を決定した場合、基地局装置３−２にデュアルコネクト要求メッセージを送信する。基地局装置３−２は、デュアルコネクト要求メッセージを受信すると、基地局装置３−１にデュアルコネクト要求応答メッセージを送信する。デュアルコネクト要求応答メッセージには、基地局装置３−２のセル（セル３およびセル４）のシステム情報および基地局装置３−２が移動局装置１−１に設定する情報が含まれる。
【０１４４】
基地局装置３−２が移動局装置１−１に設定する情報には、追加するセル（セル３、セル４）で移動局装置１−１が使用する物理リソース情報（物理上りリンク制御チャネルＰＵＣＣＨ、上りリンク参照信号）、送信タイミンググループ情報および送信タイミンググループに対する送信タイミングタイマー情報などが含まれる。
【０１４５】
基地局装置３−１は、移動局装置１−１にキャリアアグリゲーションを指示するためのセル設定メッセージを送信する。セル設定メッセージには、追加するセル（セル２、セル３、セル４）のシステム情報、追加するセルで移動局装置１−１が使用する物理リソース情報（物理上りリンク制御チャネルＰＵＣＣＨ、上りリンク参照信号）、送信タイミンググループ情報、送信タイミンググループの送信タイミングタイマー情報、制御データまたはユーザーデータをどのセルで送信するかを示したデータ制御情報、デュアルコネクトか否かを示す情報等が含まれる。移動局装置１−１は、基地局装置３−１からセル設定メッセージを受信すると、セル設定メッセージで示された各セルの設定等を行う。また、移動局装置１−１は、送信タイミンググループの設定も行う。
【０１４６】
尚、デュアルコネクトか否かを示す情報は、デュアルコネクトか否かを示す１ビットの情報でも良い。また、移動局装置１−１は、物理リソース情報に物理上りリンク制御チャネルＰＵＣＣＨが含まれている場合、デュアルコネクト状態であると判断しても良い。また、移動局装置１−１は、制御データおよびユーザーデータが異なるセルでの送信を指示された場合、デュアルコネクト状態であると判断しても良い。また、デュアルコネクトを示すセル設定メッセージを別に用意して、基地局装置３−１がデュアルコネクト時か否かでメッセージを適宜使い分けるようにしても良い。
【０１４７】
基地局装置３−１は、移動局装置１−１にセル２、セル３、セル４のアクティベーションを示したアクティベーション指示メッセージを送信する。移動局装置１−１は、アクティベーション指示メッセージを受信すると、セル２、セル３およびセル４で下りリンクの受信処理を開始する。基地局装置３−２がセル３に対してランダムアクセス指示メッセージを送信する。移動局装置１−１は、ランダムアクセス指示メッセージを受信すると、セル３でランダムアクセス手順を実行する。
【０１４８】
移動局装置１−１は、セル３の物理ランダムアクセスチャネルＰＲＡＣＨでランダムアクセス指示メッセージにより指定されたランダムアクセスプリアンブルを送信する。移動局装置１−１は、物理下りリンク制御チャネルＰＤＣＣＨをモニタし、ランダムアクセスレスポンス識別情報を取得すると、ランダムアクセスレスポンスメッセージを受信する。
【０１４９】
移動局装置１−１は、ランダムアクセスレスポンスメッセージを取得すると、ランダムアクセスレスポンスメッセージに含まれる送信タイミング情報をセル３が含まれる送信タイミンググループ（送信タイミンググループ２）の送信タイミングとして適用する。つまり、移動局装置１−１は、セル３およびセル４の上りリンク送信タイミングとして送信タイミング情報を適用する。そして、移動局装置１−１は、ランダムアクセスプリアンブルを送信したセル３が含まれる送信タイミンググループ（送信タイミンググループ２）の送信タイミングタイマー（ここでは、送信タイミングタイマー２とする）をスタートする。移動局装置１−１は、ランダムアクセス手順を終了する。
【０１５０】
尚、移動局装置１−１は、セル設定メッセージで送信タイミンググループ１（セル１およびセル２）を設定されたことにより、送信タイミンググループ設定時にセル１の送信タイミングをセル２の送信タイミングとして設定する。
【０１５１】
尚、基地局装置３−１または基地局装置３−２は、移動局装置１−１からの上りリンク参照信号を測定して、送信タイミング情報を算出する。基地局装置３−１または基地局装置３−２は、各送信タイミングタイマーが動作している間に、各送信タイミンググループの送信タイミング情報を移動局装置１−１に送信する。移動局装置１−１は、送信タイミンググループの送信タイミング情報を受信すると、指定された送信タイミンググループの上りリンク送信タイミングとして送信タイミング情報を適用し、送信タイミンググループに対応する送信タイミングタイマーをリスタートする。
【０１５２】
尚、送信タイミングタイマーが動作中は、上りリンク同期している（送信タイミングが有効である）状態であり、移動局装置１−１は、対象となる送信タイミンググループのセルの上りリンクでの上りリンク送信が可能である。
【０１５３】
基地局装置３−１または基地局装置３−２は、移動局装置１−１と同じ送信タイミングタイマーを保持し、送信タイミング情報を送信した場合、または、送信タイミング情報を送信し、移動局装置１−１から送信タイミング情報に対する肯定応答（ＡＣＫ）を受信した場合、送信タイミングタイマーをリスタートする。
【０１５４】
デュアルコネクトか否かを示す情報によりデュアルコネクト状態であり、各送信タイミンググループの送信タイミングタイマーが満了した場合、移動局装置１−１は、送信タイミングタイマーが満了した送信タイミンググループのセルに対してランダムアクセスプリアンブル送信以外の上りリンク送信を禁止する。そして、移動局装置１−１は、送信タイミングタイマーが満了した送信タイミンググループに対応する送信ＨＡＲＱ記憶部１０９（以降は、送信ＨＡＲＱバッファと示す。）に保存してあるデータを消去する（または、送信タイミングタイマーが満了した送信タイミンググループに対応する送信ＨＡＲＱバッファをフラッシュ（flash）する）。
【０１５５】
移動局装置１−１は、送信タイミングタイマーが満了した送信タイミンググループのセルに割り当てられている上りリンク制御チャネルＰＵＣＣＨの無線リソースと測定用参照信号の無線リソースを解放する。また、送信タイミングタイマーが満了した送信タイミンググループのセルに対して上りリンク送信許可情報を取得している場合、移動局装置１−１は、上りリンク共用チャネルＰＵＳＣＨの上りリンク送信許可情報を破棄する。尚、移動局装置１−１は、下りリンク共用チャネルＰＤＳＣＨの割り当て情報も破棄するようにしても良い。
【０１５６】
例えば、送信タイミングタイマー２が満了した場合、移動局装置１−１は、送信タイミンググループ２に属するセル３およびセル４に対してランダムアクセスプリアンブル送信以外の上りリンク送信を行わない。そして、移動局装置１−１は、送信タイミンググループ２のセル３およびセル４に対応する送信ＨＡＲＱバッファのデータを消去する。
【０１５７】
移動局装置１−１は、送信タイミンググループ２のセル（セル３およびセル４）に割り当てられている上りリンク制御チャネルＰＵＣＣＨの無線リソースと測定用参照信号の無線リソースを解放する。また、送信タイミンググループ２のセル３およびセル４に対しての上りリンク送信許可情報を取得している場合、移動局装置１−１は、上りリンク共用チャネルＰＵＳＣＨの送信許可情報を破棄する。
【０１５８】
同様に送信タイミングタイマー１が満了した場合、移動局装置１−１は、送信タイミンググループ１のセル１およびセル２に対してランダムアクセスプリアンブル送信以外の上りリンク送信を行わず、同様の処理を行う。つまり、デュアルコネクトの場合、移動局装置１−１は、送信タイミンググループに関する制御を基地局装置単位で行う。
【０１５９】
基地局装置３−１または基地局装置３−２は、各送信タイミングタイマーが満了した場合、送信タイミングタイマーが満了した送信タイミンググループのセルに対して上りリンク共用ＰＵＳＣＨチャネルの割り当て処理を停止し、受信ＨＡＲＱ記憶部２２１（以降は、受信ＨＡＲＱバッファと示す。）に保存してあるデータを消去する。そして、基地局装置３−１または基地局装置３−２は、移動局装置１−１に送信タイミングタイマーが満了した送信タイミンググループのセルに対して割り当てた上りリンク制御チャネルＰＵＣＣＨの無線リソースと測定用参照信号の無線リソースを解放する。
【０１６０】
尚、デュアルコネクトでなく、基地局装置３−１がセル１、セル２、セル３、セル４を提供し、送信タイミンググループ１（セル１、セル２）、送信タイミンググループ２（セル３、セル４）を移動局装置１−１に設定した場合において、第一セル（セル１）を含む送信タイミンググループ（送信タイミンググループ）の送信タイミングタイマー（送信タイミングタイマー１）が満了した時、移動局装置１−１は、他の送信タイミンググループ（送信タイミンググループ２）の送信タイミングタイマー（送信タイミングタイマー２）を停止し、全セル（セル１、セル２、セル３、セル４）に対して、第一セル（セル１）におけるランダムアクセスプリアンブル送信以外の上りリンク送信を停止する。
【０１６１】
そして、移動局装置１−１は、送信ＨＡＲＱ記憶部１０９（送信ＨＡＲＱバッファ）に保存してある全データを消去する。移動局装置１−１は、割り当てられている上りリンク制御チャネルＰＵＣＣＨの無線リソースと全てのセル（セル１、セル２、セル３、セル４、）に対して割り当てられている測定用参照信号の無線リソースを解放する。また、下りリンク割り当て情報および上りリンク送信許可情報を取得している場合、移動局装置１−１は、すべての下りリンク共用チャネルＰＤＳＣＨの割り当て情報と上りリンク共用チャネルＰＵＳＣＨの送信許可情報を破棄する。
【０１６２】
第一セルを含まない第二セルのみで構成される送信タイミンググループ（送信タイミンググループ２）の送信タイミングタイマー（送信タイミングタイマー２）が満了した時、移動局装置１−１は、送信タイミングタイマーが満了した送信タイミンググループ（送信タイミンググループ２）のセル（セル３、セル４）に対して、ランダムアクセスプリアンブル送信以外の上りリンク送信を禁止する。
【０１６３】
そして、移動局装置１−１は、送信タイミングタイマーが満了した送信タイミンググループ（送信タイミンググループ２）のセル（セル３、セル４）に対応する送信ＨＡＲＱバッファに保存してあるデータを消去する。移動局装置１−１は、送信タイミングタイマーが満了した送信タイミンググループ（送信タイミンググループ２）のセル（セル３、セル４）に割り当てられている測定用参照信号の無線リソースを解放する。
【０１６４】
また、送信タイミングタイマーが満了した送信タイミンググループ（送信タイミンググループ２）のセル（セル３、セル４）の上りリンク送信許可情報を取得している場合、移動局装置１−１は、送信タイミングタイマーが満了した送信タイミンググループ（送信タイミンググループ２）のセル（セル３、セル４）の上りリンク共用チャネルＰＵＳＣＨの送信許可情報を破棄する。
【０１６５】
また、第一セルを含む送信タイミンググループ（送信タイミンググループ１）の送信タイミングタイマー（送信タイミングタイマー１）が満了した場合、基地局装置３−１は、第二セルのみで構成される送信タイミンググループ（セル３、セル４）の送信タイミングタイマー（送信タイミングタイマー２）を停止し、移動局装置１−１の全セルに対して、上りリンク共用ＰＵＳＣＨチャネルの割り当てを停止し、受信ＨＡＲＱ記憶部２２１（以降は、受信ＨＡＲＱバッファと示す。）に保存してある全データを消去する。そして、基地局装置３−１は、移動局装置１−１に割り当てた上りリンク制御チャネルＰＵＣＣＨの無線リソースと全てのセル（セル１、セル２、セル３、セル４）に対して割り当てた測定用参照信号の無線リソースを解放する。
【０１６６】
また、第二セルのみで構成される送信タイミンググループ（送信タイミンググループ２）の送信タイミングタイマー（送信タイミングタイマー２）が満了した場合、基地局装置３−１は、送信タイミングタイマーが満了した送信タイミンググループ（送信タイミンググループ２）に含まれるセル（セル３、セル４）に対しての上りリンク共用チャネルＰＵＳＣＨの割り当てを停止する。
【０１６７】
基地局装置３−１は、受信ＨＡＲＱバッファに保存してある送信タイミングタイマーが満了した送信タイミンググループ（送信タイミンググループ２）に含まれるセル（セル３、セル４）に対するデータを消去する。そして、基地局装置３−１は、移動局装置１−１に割り当てた送信タイミングタイマーが満了した送信タイミンググループ（送信タイミンググループ２）に含まれるセル（セル３、セル４）に割り当てられている測定用参照信号の無線リソースを解放する。
【０１６８】
次に、複数の送信タイミンググループのセルを提供する基地局装置がデュアルコネクトでの通信を行った場合の例を示す。例として、図６のように基地局装置３−１は、セル１、セル２、セル３を提供し、基地局装置３−２は、セル４、セル５を提供する。セル１およびセル２は送信タイミングが同じ送信タイミンググループ（送信タイミンググループ１）であり、セル３は別の送信タイミングの送信タイミンググループ（送信タイミンググループ２）であり、セル４およびセル５は別の送信タイミングが同じ送信タイミンググループ（送信タイミンググループ３）であるとする。
【０１６９】
尚、セル１を第一セル、その他のセル（セル２、セル３、セル４、セル５）を第二セルとする。また、基地局装置３−１はセル１の物理上りリンク制御チャネルＰＵＣＣＨを移動局装置１−１に割り当て、基地局装置３−２は、セル４の物理上りリンク制御チャネルＰＵＣＣＨを移動局装置１−１に割り当てるとする。
【０１７０】
デュアルコネクトか否かを示す情報によりデュアルコネクト状態であり、第一セルであるセル１を含む送信タイミンググループ（送信タイミンググループ１）の送信タイミングタイマーが満了した場合、移動局装置１−１は、第一セルを含む送信タイミンググループ（送信タイミンググループ１）以外の基地局装置３−１が提供している送信タイミンググループ（送信タイミンググループ２）の送信タイミングタイマーを停止する。そして、移動局装置１−１は、基地局装置３−１が提供しているセル（セル１、セル２、セル３）に対して第一セル（セル１）でのランダムアクセスプリアンブル送信以外の上りリンク送信を禁止する。
【０１７１】
そして、移動局装置１−１は、基地局装置３−１のセル（セル１、セル２、セル３）に対応する送信ＨＡＲＱバッファに保存してある全データを消去する（または、基地局装置３−１のセル（セル１、セル２、セル３）に対応する送信ＨＡＲＱバッファをフラッシュ（flash）する）。
【０１７２】
移動局装置１−１は、第一セルに割り当てられている上りリンク制御チャネルＰＵＣＣＨの無線リソースと基地局装置３−１のセル（セル１、セル２、セル３）に割り当てられている測定用参照信号の無線リソースを解放する。また、基地局装置３−１のセル（セル１、セル２、セル３）に対して上りリンクの送信許可情報を取得している場合、移動局装置１−１は、上りリンク共用チャネルＰＵＳＣＨの送信許可情報を破棄する。
【０１７３】
デュアルコネクト状態で、第一セルを含まない送信タイミンググループ（送信タイミンググループ２）の送信タイミングタイマーが満了した場合、移動局装置１−１は、送信タイミングタイマーが満了した送信タイミンググループ（送信タイミンググループ２）のセル（セル３）でのランダムアクセスプリアンブル送信以外の上りリンク送信を禁止する。
【０１７４】
そして、移動局装置１−１は、送信タイミングタイマーが満了した送信タイミンググループ（送信タイミンググループ２）のセル（セル３）に対応する送信ＨＡＲＱバッファに保存してあるデータを消去する。
【０１７５】
移動局装置１−１は、送信タイミングタイマーが満了した送信タイミンググループ（送信タイミンググループ２）のセル（セル３）に割り当てられている測定用参照信号の無線リソースを解放する。また、送信タイミングタイマーが満了した送信タイミンググループ（送信タイミンググループ２）のセル（セル３）に対して上りリンク送信許可情報を取得している場合、移動局装置１−１は、上りリンク共用チャネルＰＵＳＣＨの送信許可情報を破棄する。
【０１７６】
尚、基地装置３−２の送信タイミンググループ（送信タイミンググループ３）の送信タイミングタイマーが満了した場合、移動局装置１−１は、基地局装置３−２の送信タイミンググループ（送信タイミンググループ３）のセル（セル４、セル５）に対してランダムアクセスプリアンブル送信以外の上りリンク送信を禁止する。そして、移動局装置１−１は、送信タイミングタイマーが満了した送信タイミンググループ（送信タイミンググループ３）のセル（セル４、セル５）に対応する送信ＨＡＲＱバッファに保存してあるデータを消去する。
【０１７７】
移動局装置１−１は、送信タイミングタイマーが満了した送信タイミンググループ（送信タイミンググループ３）のセル（セル４、セル５）に割り当てられている上りリンク制御チャネルＰＵＣＣＨの無線リソースと測定用参照信号の無線リソースを解放する。また、送信タイミングタイマーが満了した送信タイミンググループ（送信タイミンググループ３）のセル（セル４、セル５）に対して上りリンク送信許可情報を取得している場合、移動局装置１−１は、上りリンク共用チャネルＰＵＳＣＨの送信許可情報を破棄する。
【０１７８】
尚、基地局装置３−２に送信タイミンググループが複数ある場合において、上りリンク制御チャネルＰＵＣＣＨの無線リソースが割り当てられたセルが含まれる送信タイミンググループの送信タイミングタイマーが満了した時、移動局装置１−１は、第一セルを含む送信タイミンググループの送信タイミングタイマーが満了した場合と同様の処理を行う。
【０１７９】
また、上りリンク制御チャネルＰＵＣＣＨの無線リソースが割り当てられたセルが含まれない送信タイミンググループの送信タイミングタイマーが満了した時、第一セルを含まない第二セルで構成される送信タイミンググループの送信タイミングタイマーが満了した場合と同様の処理を行う。
【０１８０】
つまり、上りリンク制御チャネルＰＵＣＣＨの無線リソースが割り当てられたセルが含まれる送信タイミンググループ以外の基地局装置３−２が提供している送信タイミンググループの送信タイミングタイマーを停止する。そして、移動局装置１−１は、基地局装置３−２が提供しているセルに対して上りリンク制御チャネルＰＵＣＣＨの無線リソースが割り当てられたセルでのランダムアクセスプリアンブル送信以外の上りリンク送信を禁止する。そして、移動局装置１−１は、基地局装置３−２のセルに対応する送信ＨＡＲＱバッファに保存してある全データを消去する。
【０１８１】
移動局装置１−１は、割り当てられている上りリンク制御チャネルＰＵＣＣＨの無線リソースと基地局装置３−２のセルに割り当てられている測定用参照信号の無線リソースを解放する。また、基地局装置３−２のセルに対して上りリンク送信許可情報を取得している場合、移動局装置１−１は、上りリンク共用チャネルＰＵＳＣＨの送信許可情報を破棄する。
【０１８２】
上記に示すように、デュアルコネクト状態の場合、移動局装置１−１は、送信タイミンググループに関する制御を基地局装置単位で行うようにする。このようにすることで、基地局装置はもう一方の基地局装置の動作を気にすることなく、移動局装置１−１に対してデータ送受信制御を行うことができる。各基地局装置は、移動局装置からのデータ量などを考慮して、各送信タイミンググループの送信タイミング情報を通知したり、通知を停止したりして、送信タイミングタイマーを継続させたり、停止させたりして、送信タイミングを有効・無効することで、移動局装置の効率的な送信制御が可能となる。
【０１８３】
上記実施例では、送信タイミングタイマーが満了した場合、送信タイミングタイマーが満了したセルに関連するセルの上りリンクの送信処理停止に関する動作例を示したが、送信タイミングタイマーが満了した場合、上りリンクの送信処理の停止だけでなく、下りリンクの受信処理の停止も行なうようにしても良い。
【０１８４】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、基地局装置３−１はマクロセル以外のセルであってもよく、例えばスモールセルであってもよい。
【０１８５】
また、本発明は、以下のように記載することもできる。
【０１８６】
（１）本発明の無線通信システムは、１つ以上の基地局装置が複数セルを介して端末装置と通信を行う無線通信システムであって、前記複数セルは、第一の上りリンク送信タイミングを有する１つ以上のセルから構成され、第一セルを含む第一のグループと、前記第一の上りリンク送信タイミングと異なる第二の上りリンク送信タイミングを有する１つ以上の第二セルから構成される第二のグループにグループ化され、前記グループ毎に、送信タイミング情報を適用した場合にスタートまたはリスタートする送信タイミングタイマーを用いて制御され、前記基地局装置は、前記第一のグループと前記第二のグループに関する情報と前記送信タイミングタイマーの情報と前記グループを制御するための制御情報を前記端末装置に通知し、前記端末装置は、前記制御情報により複数の基地局装置との接続が示されている場合であって、前記グループの送信タイミングタイマーが満了した場合、前記送信タイミングタイマーが満了したグループのセルに対応する送信ＨＡＲＱバッファのデータを消去する。
【０１８７】
（２）また、（１）に記載の無線通信システムにおいて、前記制御情報により１つの基地局装置との接続が示されている場合であって、前記第一のグループの送信タイミングタイマーが満了した場合、前記複数セルに対応する全ての送信ＨＡＲＱバッファのデータを消去し、前記第二のグループの送信タイミングタイマーが満了した場合、前記送信タイミングタイマーが満了した第二のグループのセルに対応する送信ＨＡＲＱバッファのデータを消去する。
【０１８８】
（３）また、（２）に記載の無線通信システムにおいて、前記端末装置は、前記制御情報により複数の基地局装置との接続が示されている場合であって、前記グループの送信タイミングタイマーが満了した場合、前記送信タイミングタイマーが満了したグループのセルに割り当てられている上りリンク制御チャネルおよび上りリンク参照信号を解放する。
【０１８９】
（４）また、（３）に記載の無線通信システムにおいて、前記制御情報により１つの基地局装置との接続が示されている場合であって、前記第一のグループの送信タイミングタイマーが満了した場合、前記複数のセルに割り当てられている上りリンク制御チャネルおよび上りリンク参照信号を解放し、前記第二のグループの送信タイミングタイマーが満了した場合、前記送信タイミングタイマーが満了した第二のグループのセルに割り当てられている上りリンク参照信号を解放する。
【０１９０】
（５）また、本発明の基地局装置は、第一の基地局装置とともに複数セルを介して端末装置と通信を行う基地局装置であって、前記複数セルは、第一の上りリンク送信タイミングを有する１つ以上のセルから構成され、第一セルを含む第一のグループと、前記第一の上りリンク送信タイミングと異なる第二の上りリンク送信タイミングを有する１つ以上の第二セルから構成される第二のグループにグループ化され、前記グループ毎に、送信タイミング情報を適用した場合にスタートまたはリスタートする送信タイミングタイマーを用いて制御され、前記第一の基地局装置から前記グループに関する情報を受信し、前記第一のグループと前記第二のグループに関する情報と前記送信タイミングタイマーの情報と前記グループを制御するための制御情報を前記端末装置に通知する。
【０１９１】
（６）また、本発明の端末装置は、１つ以上の基地局装置と複数セルを介して通信を行う端末装置であって、前記複数セルは、第一の上りリンク送信タイミングを有する１つ以上のセルから構成され、第一セルを含む第一のグループと、前記第一の上りリンク送信タイミングと異なる第二の上りリンク送信タイミングを有する１つ以上の第二セルから構成される第二のグループにグループ化され、前記グループ毎に、送信タイミング情報を適用した場合にスタートまたはリスタートする送信タイミングタイマーを用いて制御され、前記基地局装置から前記第一のグループと前記第二のグループに関する情報と前記送信タイミングタイマーの情報と前記グループを制御するための制御情報を受信し、前記制御情報により複数の基地局装置との接続が示されている場合であって、前記グループの送信タイミングタイマーが満了した場合、前記送信タイミングタイマーが満了したグループのセルに対応する送信ＨＡＲＱバッファのデータを消去する。
【０１９２】
（７）また、（６）に記載の端末装置は、前記制御情報により１つの基地局装置との接続が示されている場合であって、前記第一のグループの送信タイミングタイマーが満了した場合、前記複数のセルに対応する全ての送信ＨＡＲＱバッファのデータを消去し、前記第二のグループの送信タイミングタイマーが満了した場合、前記送信タイミングタイマーが満了した第二のグループのセルに対応する送信ＨＡＲＱバッファのデータを消去する。
【０１９３】
（８）また、（７）に記載の端末装置は、前記制御情報により複数の基地局装置との接続が示されている場合であって、前記グループの送信タイミングタイマーが満了した場合、前記送信タイミングタイマーが満了したグループのセルに割り当てられている上りリンク制御チャネルおよび上りリンク参照信号を解放する。
【０１９４】
（９）また、（８）に記載の端末装置は、前記制御情報により１つの基地局装置との接続が示されている場合であって、前記第一のグループの送信タイミングタイマーが満了した場合、前記複数セルに割り当てられている上りリンク制御チャネルおよび上りリンク参照信号を解放し、前記第二のグループの送信タイミングタイマーが満了した場合、前記送信タイミングタイマーが満了した第二のグループのセルに割り当てられている上りリンク参照信号を解放する。
【０１９５】
（１０）また、本発明の無線通信方法は、１つ以上の基地局装置が複数セルを介して端末装置と通信を行う無線通信システムの無線通信方法であって、前記複数セルは、第一の上りリンク送信タイミングを有する１つ以上のセルから構成され、第一セルを含む第一のグループと、前記第一の上りリンク送信タイミングと異なる第二の上りリンク送信タイミングを有する１つ以上の第二セルから構成される第二のグループにグループ化され、前記グループ毎に、送信タイミング情報を適用した場合にスタートまたはリスタートする送信タイミングタイマーを用いて制御され、前記基地局装置は、前記第一のグループと前記第二のグループに関する情報と前記送信タイミングタイマーの情報と前記グループを制御するための制御情報を前記端末装置に通知するステップと、前記端末装置は、前記制御情報により複数の基地局装置との接続が示されている場合であって、前記グループの送信タイミングタイマーが満了した場合、前記送信タイミングタイマーが満了したグループのセルに対応する送信ＨＡＲＱバッファのデータを消去するステップと、前記制御情報により１つの基地局装置との接続が示されている場合であって、前記第一のグループの送信タイミングタイマーが満了した場合、前記複数セルに対応する全ての送信ＨＡＲＱバッファのデータを消去するステップと、前記第二のグループの送信タイミングタイマーが満了した場合、前記送信タイミングタイマーが満了した第二のグループのセルに対応する送信ＨＡＲＱバッファのデータを消去するステップとを含む。
【０１９６】
（１１）また、本発明の集積回路は、第一の基地局装置とともに複数セルを介して端末装置と通信を行う基地局装置に適用される集積回路であって、前記複数セルは、第一の上りリンク送信タイミングを有する１つ以上のセルから構成され、第一セルを含む第一のグループと、前記第一の上りリンク送信タイミングと異なる第二の上りリンク送信タイミングを有する１つ以上の第二セルから構成される第二のグループにグループ化され、前記グループ毎に、送信タイミング情報を適用した場合にスタートまたはリスタートする送信タイミングタイマーを用いて制御され、前記第一の基地局装置から前記グループに関する情報を受信する手段と、前記第一のグループと前記第二のグループに関する情報と前記送信タイミングタイマーの情報と前記グループを制御するための制御情報を前記端末装置に通知する手段を有する。
【０１９７】
（１２）また、本発明の集積回路は、１つ以上の基地局装置と複数セルを介して通信を行う端末装置に適用される集積回路であって、前記複数セルは、第一の上りリンク送信タイミングを有する１つ以上のセルから構成され、第一セルを含む第一のグループと、前記第一の上りリンク送信タイミングと異なる第二の上りリンク送信タイミングを有する１つ以上の第二セルから構成される第二のグループにグループ化され、前記グループ毎に、送信タイミング情報を適用した場合にスタートまたはリスタートする送信タイミングタイマーを用いて制御され、前記基地局装置から前記第一のグループと前記第二のグループに関する情報と前記送信タイミングタイマーの情報と前記グループを制御するための制御情報を受信する手段と、前記制御情報により複数の基地局装置との接続が示されている場合であって、前記グループの送信タイミングタイマーが満了した場合、前記送信タイミングタイマーが満了したグループのセルに対応する送信ＨＡＲＱバッファのデータを消去する手段を有する。
【０１９８】
（１３）また、（１２）に記載の集積回路は、前記制御情報により１つの基地局装置との接続が示されている場合であって、前記第一のグループの送信タイミングタイマーが満了した場合、前記複数のセルに対応する全ての送信ＨＡＲＱバッファのデータを消去する手段と、前記第二のグループの送信タイミングタイマーが満了した場合、前記送信タイミングタイマーが満了した第二のグループのセルに対応する送信ＨＡＲＱバッファのデータを消去する手段を有する。
【０１９９】
実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０２００】
また、説明の便宜上、実施形態の移動局装置１−１、基地局装置３−１および基地局装置３−２を機能的なブロック図を用いて説明したが、移動局装置１−１、基地局装置３−１および基地局装置３−２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０２０１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０２０２】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０２０３】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０２０４】
１−１〜１−３  移動局装置
３−１、３−２  基地局装置
１０１、２０１  データ生成部
１０３、２０３  送信データ記憶部
１０５、２０５  送信ＨＡＲＱ処理部
１０７、２０７  送信処理部
１０９、２０９  無線部
１１１、２１１  受信処理部
１１３、２１３  受信ＨＡＲＱ処理部
１１５、２１５  ＭＡＣ情報抽出部
１１７、２１７  ＰＨＹ制御部
１１９、２１９  ＭＡＣ制御部
１２１、２２１  データ処理部
１２３、２２３  ＲＲＣ制御部
２２５          基地局装置間通信部
２２７          ＭＭＥ通信部
２２９          ＧＷ通信部
【図１】
0006446710.tif 000002
【図２】
0006446710.tif 000003
【図３】
0006446710.tif 000004
【図４】
0006446710.tif 000005
【図５】
0006446710.tif 000006
【図６】
0006446710.tif 000007
【図７】
0006446710.tif 000008
【図８】
0006446710.tif 000009
【図９】
0006446710.tif 000010
【図１０】
0006446710.tif 000011
【図１１】
0006446710.tif 000012
【図１２】
0006446710.tif 000013
【図１３】
0006446710.tif 000014
【図１４】
0006446710.tif 000015
【図１５】
0006446710.tif 000016